(57)【特許請求の範囲】
【請求項１】
キャリア併合−ベース無線通信システムにおいて端末がＡＣＫ／ＮＡＣＫ情報を送信する方法であって、
ＦＤＤセルの特定ＳＦ区間で一つ以上のＰＤＣＣＨ信号を受信するステップと、
前記一つ以上のＰＤＣＣＨが示す一つ以上のＰＤＳＣＨ信号を受信するステップと、
前記一つ以上のＰＤＳＣＨ信号に対応するＡＣＫ／ＮＡＣＫ情報をＰＵＣＣＨを介して送信するステップと、
を有し、
前記特定ＳＦ区間は、一つ以上の第１のＳＦ及び一つの第２のＳＦを含み、前記一つ以上の第１のＳＦに対応する一つ以上の第１のＵＬ ＳＦではＰＵＣＣＨ送信が制限され、前記第２のＳＦに対応する第２のＵＬ ＳＦではＰＵＣＣＨ送信が許容され、
前記一つ以上の第１のＳＦにＰＤＳＣＨ信号がある場合、前記ＡＣＫ／ＮＡＣＫ情報は、上位層によって割り当てられたＰＵＣＣＨリソースを用いて前記第２のＵＬ ＳＦで送信され、
前記第２のＳＦにのみ一つのＰＤＳＣＨ信号がある場合、前記ＡＣＫ／ＮＡＣＫ情報は、対応するＰＤＣＣＨ信号が送信されるリソースのインデックスにリンクされたＰＵＣＣＨリソースを用いて前記第２のＵＬ ＳＦで送信される、方法。
【請求項２】
前記第２のＳＦは、前記特定ＳＦ区間の最後に位置する、請求項１に記載の方法。
【請求項３】
前記一つ以上の第１のＳＦにＰＤＳＣＨ信号がある場合、前記ＡＣＫ／ＮＡＣＫ情報は、対応するＰＤＣＣＨ信号のＴＰＣフィールドの値が示すＰＵＣＣＨリソースを用いて送信され、
前記ＴＰＣフィールドの値は、前記上位層によって割り当てられる複数のＰＵＣＣＨリソースのうちの一つのＰＵＣＣＨリソースを示す、請求項１に記載の方法。
【請求項４】
前記一つ以上の第１のＳＦにＰＤＳＣＨ信号がある場合、前記ＡＣＫ／ＮＡＣＫ情報は、ＰＵＣＣＨフォーマット３を用いて送信される、請求項３に記載の方法。
【請求項５】
前記第２のＳＦにのみ一つのＰＤＳＣＨ信号がある場合、前記ＡＣＫ／ＮＡＣＫ情報は、対応するＰＤＣＣＨ信号の送信に用いられる一つ以上のＣＣＥに対応する一つ以上のＣＣＥインデックスのうちの最初のＣＣＥを用いて得られたＰＵＣＣＨリソースで送信される、請求項１に記載の方法。
【請求項６】
前記第２のＳＦにのみ一つのＰＤＳＣＨ信号がある場合、前記ＡＣＫ／ＮＡＣＫ情報は、ＰＵＣＣＨフォーマット１ａ又はＰＵＣＣＨフォーマット１ｂを用いて送信される、請求項５に記載の方法。
【請求項７】
キャリア併合−ベース無線通信システムにおいてＡＣＫ／ＮＡＣＫ情報を送信するように構成された端末であって、
無線周波数ユニットと、
プロセッサと、
を備え、
前記プロセッサは、ＦＤＤセルの特定ＳＦ区間で一つ以上のＰＤＣＣＨ信号を受信し、前記一つ以上のＰＤＣＣＨが示す一つ以上のＰＤＳＣＨ信号を受信し、前記一つ以上のＰＤＳＣＨ信号に対応するＡＣＫ／ＮＡＣＫ情報をＰＵＣＣＨを介して送信するように構成され、
前記特定ＳＦ区間は、一つ以上の第１のＳＦ及び一つの第２のＳＦを含み、前記一つ以上の第１のＳＦに対応する一つ以上の第１のＵＬ ＳＦではＰＵＣＣＨ送信が制限され、前記第２のＳＦに対応する第２のＵＬ ＳＦではＰＵＣＣＨ送信が許容され、
前記一つ以上の第１のＳＦにＰＤＳＣＨ信号がある場合、前記ＡＣＫ／ＮＡＣＫ情報は、上位層によって割り当てられたＰＵＣＣＨリソースを用いて前記第２のＵＬ ＳＦで送信され、
前記第２のＳＦにのみ一つのＰＤＳＣＨ信号がある場合、前記ＡＣＫ／ＮＡＣＫ情報は、対応するＰＤＣＣＨ信号が送信されるリソースのインデックスにリンクされたＰＵＣＣＨリソースを用いて前記第２のＵＬ ＳＦで送信される、端末。
【請求項８】
前記第２のＳＦは、前記特定ＳＦ区間の最後に位置する、請求項７に記載の端末。
【請求項９】
前記一つ以上の第１のＳＦにＰＤＳＣＨ信号がある場合、前記ＡＣＫ／ＮＡＣＫ情報は、対応するＰＤＣＣＨ信号のＴＰＣフィールドの値が示すＰＵＣＣＨリソースを用いて送信され、
前記ＴＰＣフィールドの値は、前記上位層によって割り当てられる複数のＰＵＣＣＨリソースのうちの一つのＰＵＣＣＨリソースを示す、請求項７に記載の端末。
【請求項１０】
前記一つ以上の第１のＳＦにＰＤＳＣＨ信号がある場合、前記ＡＣＫ／ＮＡＣＫ情報は、ＰＵＣＣＨフォーマット３を用いて送信される、請求項９に記載の端末。
【請求項１１】
前記第２のＳＦにのみ一つのＰＤＳＣＨ信号がある場合、前記ＡＣＫ／ＮＡＣＫ情報は、対応するＰＤＣＣＨ信号の送信に用いられる一つ以上のＣＣＥに対応する一つ以上のＣＣＥインデックスのうちの最初のＣＣＥを用いて得られたＰＵＣＣＨリソースで送信される、請求項７に記載の端末。
【請求項１２】
前記第２のＳＦにのみ一つのＰＤＳＣＨ信号がある場合、前記ＡＣＫ／ＮＡＣＫ情報は、ＰＵＣＣＨフォーマット１ａ又はＰＵＣＣＨフォーマット１ｂを用いて送信される、請求項１１に記載の端末。
【発明の詳細な説明】
【技術分野】
【０００１】
本発明は、無線通信システムに関し、特に、キャリア併合（Ｃａｒｒｉｅｒ  Ａｇｇｒｅｇａｔｉｏｎ、ＣＡ）−ベース無線通信システムにおいて上りリンク信号を送信する方法及び装置に関する。
【背景技術】
【０００２】
無線通信システムが音声やデータなどのような種々の通信サービスを提供するために広範囲に展開されている。一般に、無線通信システムは、可用のシステムリソース（帯域幅、送信電力ーなど）を共有して多重ユーザとの通信を支援することができる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、ＣＡ−ベース無線通信システムにおいて上りリンク信号を效率的に送信／受信する方法及びそのための装置を提供することにある。具体的に、本発明は、インター−サイトＣＡ（ｉｎｔｅｒ−ｓｉｔｅ  ｃａｒｒｉｅｒ  ａｇｇｒｅｇａｔｉｏｎ）において上りリンク信号を效率的に送信／受信する方法及びそのための装置を提供することにある。
【０００４】
本発明で遂げようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００５】
本発明の一様相として、キャリア併合（ｃａｒｒｉｅｒ  ａｇｇｒｅｇａｔｉｏｎ）−ベース無線通信システムにおいて端末がＡＣＫ／ＮＡＣＫ（Ａｃｋｎｏｗｌｅｄｇｅｍｅｎｔ／Ｎｅｇａｔｉｖｅ  ＡＣＫ）情報を送信する方法であって、ＦＤＤ（Ｆｒｅｑｕｅｎｃｙ  Ｄｉｖｉｓｉｏｎ  Ｄｕｐｌｅｘ）セルの特定ＳＦ（Ｓｕｂｆｒａｍｅ）区間で一つ以上のＰＤＣＣＨ（Ｐｈｙｓｉｃａｌ  Ｄｏｗｎｌｉｎｋ  Ｃｏｎｔｒｏｌ  Ｃｈａｎｎｅｌ）信号を受信するステップと、前記一つ以上のＰＤＣＣＨが示す一つ以上のＰＤＳＣＨ（Ｐｈｙｓｉｃａｌ  Ｄｏｗｎｌｉｎｋ  Ｓｈａｒｅｄ  Ｃｈａｎｎｅｌ）信号を受信するステップと、前記一つ以上のＰＤＳＣＨ信号に対応するＡＣＫ／ＮＡＣＫ情報をＰＵＣＣＨ（Ｐｈｙｓｉｃａｌ  Ｕｐｌｉｎｋ  Ｃｏｎｔｒｏｌ  Ｃｈａｎｎｅｌ）を介して送信するステップとを有し、前記特定ＳＦ区間は、一つ以上の第１のＳＦ及び一つの第２のＳＦを含み、前記一つ以上の第１のＳＦに対応する一つ以上の第１のＵＬ ＳＦではＰＵＣＣＨ送信が制限され、前記第２のＳＦに対応する第２のＵＬ ＳＦではＰＵＣＣＨ送信が許容され、前記一つ以上の第１のＳＦにＰＤＳＣＨ信号がある場合、前記ＡＣＫ／ＮＡＣＫ情報は、上位層によって割り当てられたＰＵＣＣＨリソースを用いて前記第２のＵＬ ＳＦで送信され、前記第２のＳＦにのみ一つのＰＤＳＣＨ信号がある場合、前記ＡＣＫ／ＮＡＣＫ情報は、対応するＰＤＣＣＨ信号が送信されるリソースのインデックスにリンクされたＰＵＣＣＨリソースを用いて前記第２のＵＬ ＳＦで送信される方法が提供される。
【０００６】
本発明の他の様相として、キャリア併合（ｃａｒｒｉｅｒ  ａｇｇｒｅｇａｔｉｏｎ）−ベース無線通信システムにおいてＡＣＫ／ＮＡＣＫ（Ａｃｋｎｏｗｌｅｄｇｅｍｅｎｔ／Ｎｅｇａｔｉｖｅ  ＡＣＫ）情報を送信するように構成された端末であって、無線周波数（Ｒａｄｉｏ  Ｆｒｅｑｕｅｎｃｙ，ＲＦ）ユニットと、プロセッサとを備え、前記プロセッサは、ＦＤＤ（Ｆｒｅｑｕｅｎｃｙ  Ｄｉｖｉｓｉｏｎ  Ｄｕｐｌｅｘ）セルの特定ＳＦ（Ｓｕｂｆｒａｍｅ）区間で一つ以上のＰＤＣＣＨ（Ｐｈｙｓｉｃａｌ  Ｄｏｗｎｌｉｎｋ  Ｃｏｎｔｒｏｌ  Ｃｈａｎｎｅｌ）信号を受信し、前記一つ以上のＰＤＣＣＨが示す一つ以上のＰＤＳＣＨ（Ｐｈｙｓｉｃａｌ  Ｄｏｗｎｌｉｎｋ  Ｓｈａｒｅｄ  Ｃｈａｎｎｅｌ）信号を受信し、前記一つ以上のＰＤＳＣＨ信号に対応するＡＣＫ／ＮＡＣＫ情報をＰＵＣＣＨ（Ｐｈｙｓｉｃａｌ  Ｕｐｌｉｎｋ  Ｃｏｎｔｒｏｌ  Ｃｈａｎｎｅｌ）を介して送信するように構成され、前記特定ＳＦ区間は、一つ以上の第１のＳＦ及び一つの第２のＳＦを含み、前記一つ以上の第１のＳＦに対応する一つ以上の第１のＵＬ ＳＦではＰＵＣＣＨ送信が制限され、前記第２のＳＦに対応する第２のＵＬ ＳＦではＰＵＣＣＨ送信が許容され、前記一つ以上の第１のＳＦにＰＤＳＣＨ信号がある場合、前記ＡＣＫ／ＮＡＣＫ情報は、上位層によって割り当てられたＰＵＣＣＨリソースを用いて前記第２のＵＬ ＳＦで送信され、前記第２のＳＦにのみ一つのＰＤＳＣＨ信号がある場合、前記ＡＣＫ／ＮＡＣＫ情報は、対応するＰＤＣＣＨ信号が送信されるリソースのインデックスにリンクされたＰＵＣＣＨリソースを用いて前記第２のＵＬ ＳＦで送信される端末が提供される。
【０００７】
好適には、前記第２のＳＦは、前記特定ＳＦ区間の最後に位置することができる。
【０００８】
好適には、前記一つ以上の第１のＳＦにＰＤＳＣＨ信号がある場合、前記ＡＣＫ／ＮＡＣＫ情報は、対応するＰＤＣＣＨ信号のＴＰＣ（Ｔｒａｎｓｍｉｔ  Ｐｏｗｅｒ  Ｃｏｎｔｒｏｌ）フィールドの値が示すＰＵＣＣＨリソースを用いて送信され、前記ＴＰＣフィールドの値は、前記上位層によって割り当てられる複数のＰＵＣＣＨリソースのうちの一つのＰＵＣＣＨリソースを示すことができる。
【０００９】
好適には、前記一つ以上の第１のＳＦにＰＤＳＣＨ信号がある場合、前記ＡＣＫ／ＮＡＣＫ情報はＰＵＣＣＨフォーマット３を用いて送信されてもよい。
【００１０】
好適には、前記第２のＳＦにのみ一つのＰＤＳＣＨ信号がある場合、前記ＡＣＫ／ＮＡＣＫ情報は、対応するＰＤＣＣＨ信号の送信に用いられる一つ以上のＣＣＥ（Ｃｏｎｔｒｏｌ  Ｃｈａｎｎｅｌ  Ｅｌｅｍｅｎｔ）に対応する一つ以上のＣＣＥインデックスのうちの最初のＣＣＥを用いて得られたＰＵＣＣＨリソースで送信されてもよい。
【００１１】
好適には、前記第２のＳＦにのみ一つのＰＤＳＣＨ信号がある場合、前記ＡＣＫ／ＮＡＣＫ情報は、ＰＵＣＣＨフォーマット１ａ又はＰＵＣＣＨフォーマット１ｂを用いて送信されてもよい。
【発明の効果】
【００１２】
本発明によれば、ＣＡ−ベース無線通信システムにおいて上りリンク信号を效率的に送信／受信することができる。具体的に、インター−サイトＣＡにおいて上りリンク信号を效率的に送信／受信することができる。
【００１３】
本発明で得られる効果は、以上で言及した効果に制限されず、言及していない他の効果は、以下の記載から、本発明の属する技術の分野における通常の知識を有する者に明確に理解されるであろう。
【００１４】
本発明に関する理解を助けるために詳細な説明の一部として含まれる添付の図面は、本発明に関する実施例を提供し、詳細な説明と共に本発明の技術的思想を説明する。
【図面の簡単な説明】
【００１５】
【図１Ａ】ＣＡ（Ｃａｒｒｉｅｒ  Ａｇｇｒｅｇａｔｉｏｎ）−ベース無線通信システムを例示する。
【図１Ｂ】ＣＡ−ベース無線通信システムを例示する。
【図２】無線フレーム（ｒａｄｉｏ  ｆｒａｍｅ）の構造を例示する。
【図３】下りリンクスロットのリソースグリッドを例示する。
【図４】下りリンクサブフレームの構造を例示する。
【図５】ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を例示する。
【図６】複数のセルが構成された場合のスケジューリング方法を例示する。
【図７】上りリンクサブフレームの構造を例示する。
【図８】ＰＵＣＣＨ（Ｐｈｙｓｉｃａｌ  Ｕｐｌｉｎｋ  Ｃｏｎｔｒｏｌ  Ｃｈａｎｎｅｌ）フォーマット１ａ／１ｂのスロットレベル構造を例示する。
【図９】ＰＵＣＣＨフォーマット２のスロットレベル構造を例示する。
【図１０】ＰＵＣＣＨフォーマット３のスロットレベル構造を例示する。
【図１１】ＰＵＳＣＨ（Ｐｈｙｓｉｃａｌ  Ｕｐｌｉｎｋ  Ｓｈａｒｅｄ  Ｃｈａｎｎｅｌ）を介して上りリンク制御情報を送信する方法を例示する。
【図１２】ＴＤＤ（Ｔｉｍｅ  Ｄｉｖｉｓｉｏｎ  Ｄｕｐｌｅｘ）セルにおいてＵＬ ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを例示する。
【図１３】ＴＤＤセルにおいてＵＬ ＡＣＫ／ＮＡＣＫ送信タイミングを例示する。
【図１４】ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）／ＵＬグラント（ＵＬ  ｇｒａｎｔ、ＵＧ）−ＰＵＳＣＨタイミングを示す。
【図１５】ＰＨＩＣＨ／ＵＬグラント−ＰＵＳＣＨタイミングを示す。
【図１６】ＴＤＤセルにおけるＰＵＳＣＨ−ＵＬグラント／ＰＨＩＣＨ送信タイミングを例示する。
【図１７】ＴＤＤセルにおけるＰＵＳＣＨ−ＵＬグラント／ＰＨＩＣＨ送信タイミングを例示する。
【図１８】ＤＡＩ（Ｄｏｗｎｌｉｎｋ  Ａｓｓｉｇｎｍｅｎｔ  Ｉｎｄｅｘ）を用いてＡＣＫ／ＮＡＣＫ送信過程を行う方法を例示する。
【図１９】インター−サイトＣＡ（ｉｎｔｅｒ−ｓｉｔｅ  ｃａｒｒｉｅｒ  ａｇｇｒｅｇａｔｉｏｎ）を例示する。
【図２０】本発明の実施例に係るＡＣＫ／ＮＡＣＫ送信を例示する。
【図２１】本発明の実施例に係るＡＣＫ／ＮＡＣＫ送信を例示する。
【図２２】本発明の実施例に係るＡＣＫ／ＮＡＣＫ送信を例示する。
【図２３】本発明の実施例に係るＡＣＫ／ＮＡＣＫ送信を例示する。
【図２４】本発明の実施例に係るＡＣＫ／ＮＡＣＫ送信を例示する。
【図２５】本発明の実施例に係るＡＣＫ／ＮＡＣＫ送信を例示する。
【図２６】本発明に適用可能な基地局及び端末を例示する。
【発明を実施するための形態】
【００１６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進化したバージョンである。
【００１７】
説明を明確にするために、３ＧＰＰ ＬＴＥ／ＬＴＥ−Ａを中心に記述するが、本発明の技術的思想がこれに制限されるわけではない。また、以下の説明で使われる特定用語は、本発明の理解を助けるために提供されたものであり、このような特定用語は、本発明の技術的思想から逸脱しない範囲で他の形態に変更してもよい。
【００１８】
まず、本明細書で使われる用語についてまとめる。
【００１９】
●  ＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）：下りリンク送信に対する受信応答結果、すなわち、ＡＣＫ／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答（簡単に、ＡＣＫ／ＮＡＣＫ（応答）、ＡＣＫ／ＮＡＫ（応答）、Ａ／Ｎ（応答））を表す。ＡＣＫ／ＮＡＣＫ応答は、ＡＣＫ、ＮＡＣＫ、ＤＴＸ又はＮＡＣＫ／ＤＴＸを意味する。ここで、ＨＡＲＱ−ＡＣＫフィードバックを必要とする下りリンク送信には、例えば、ＰＤＳＣＨ（Ｐｈｙｓｉｃａｌ  Ｄｏｗｎｌｉｎｋ  Ｓｈａｒｅｄ  Ｃｈａｎｎｅｌ）及びＳＰＳ解除ＰＤＣＣＨ（Ｓｅｍｉ−Ｐｅｒｓｉｓｔｅｎｔ  Ｓｃｈｅｄｕｌｉｎｇ  ｒｅｌｅａｓｅ  Ｐｈｙｓｉｃａｌ  Ｄｏｗｎｌｉｎｋ  Ｃｏｎｔｒｏｌ  Ｃｈａｎｎｅｌ）がある。
【００２０】
●セル（又は、ＣＣ（Ｃｏｍｐｏｎｅｎｔ  Ｃａｒｒｉｅｒ））に対応するＨＡＲＱ−ＡＣＫ：当該セルにスケジュールされた下りリンク送信に対するＡＣＫ／ＮＡＣＫ応答を表す。
【００２１】
●  ＰＤＳＣＨ：ＤＬグラントＰＤＣＣＨに対応するＰＤＳＣＨ及びＳＰＳ（Ｓｅｍｉ−Ｐｅｒｓｉｓｔｅｎｔ  Ｓｃｈｅｄｕｌｉｎｇ）ＰＤＳＣＨを含む。ＰＤＳＣＨは、伝送ブロック（ｔｒａｎｓｐｏｒｔ  ｂｌｏｃｋ）或いはコードワード（ｃｏｄｅｗｏｒｄ）に取り替えてもよい。
【００２２】
●  ＳＰＳ ＰＤＳＣＨ：ＳＰＳによって半−静的に設定されたリソースを用いて送信されるＰＤＳＣＨを意味する。ＳＰＳ ＰＤＳＣＨは、対応するＤＬグラントＰＤＣＣＨがない。ＳＰＳ ＰＤＳＣＨは、ＰＤＳＣＨ ｗ／ｏ（ｗｉｔｈｏｕｔ）ＰＤＣＣＨと同じ意味で使われる。
【００２３】
●  ＳＰＳ解除（ｒｅｌｅａｓｅ）ＰＤＣＣＨ：ＳＰＳ解除を示すＰＤＣＣＨを意味する。端末は、ＳＰＳ解除ＰＤＣＣＨに対するＡＣＫ／ＮＡＣＫ情報をフィードバックする。
【００２４】
図１Ａ及び図１Ｂは、既存のキャリア併合（Ｃａｒｒｉｅｒ  Ａｇｇｒｅｇａｔｉｏｎ、ＣＡ）−ベース無線通信システムを例示する。ＬＴＥシステムは一つのＤＬ／ＵＬ周波数ブロックのみを支援するが、ＬＴＥ−Ａシステムは、複数のＵＬ／ＤＬ周波数ブロックを併合してより広い周波数帯域を提供する。各周波数ブロックはコンポーネントキャリア（Ｃｏｍｐｏｎｅｎｔ  Ｃａｒｒｉｅｒ、ＣＣ）を介して送信される。ＣＣは、周波数ブロックのキャリア周波数（又は、中心キャリア、中心周波数）を表す。
【００２５】
図１Ａ及び図１Ｂを参照すると、一つの基地局によって管理される複数のＤＬ／ＵＬ ＣＣを一つの端末に対して併合することができる。ＣＣは、周波数領域において互いに隣接しても非−隣接してもよい。各ＣＣの帯域幅は、独立して定められてもよい。ＵＬ ＣＣの個数とＤＬ ＣＣの個数とが異なる非対称キャリア併合も可能である。また、システム全体帯域がＮ個のＣＣで構成されても、特定端末が使用可能な周波数帯域は、Ｌ（＜Ｎ）個のＣＣと限定することができる。キャリア併合に対する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）方式で設定することができる。一方、制御情報は、特定ＣＣでのみ送受信されるように設定することができる。このような特定ＣＣをプライマリＣＣ（Ｐｒｉｍａｒｙ  ＣＣ、ＰＣＣ）（又は、アンカーＣＣ）と呼び、残りのＣＣをセカンダリＣＣ（Ｓｅｃｏｎｄａｒｙ  ＣＣ、ＳＣＣ）と呼ぶことができる。ＰＣＣでのみＵＣＩが送信されるため、複数のＵＬ ＣＣで複数ＰＵＣＣＨの同時送信状況は発生せず、また端末の電力管理などのために、ＰＣＣでの複数のＰＵＣＣＨ送信も許容されない。したがって、既存のＣＡシステムでは一つのＵＬサブフレームで一つのＰＵＣＣＨ送信のみが可能である。
【００２６】
ＬＴＥ（−Ａ）は、無線リソースの管理のためにセル（ｃｅｌｌ）の概念を用いる。セルは、ＤＬリソース及びＵＬリソースの組合せで定義し、このとき、ＵＬリソースは必須要素ではない。このため、セルを、ＤＬリソース単独、又はＤＬリソース及びＵＬリソースで構成することができる。キャリア併合が支援される場合、ＤＬリソースのキャリア周波数（又は、ＤＬ ＣＣ）とＵＬリソースのキャリア周波数（又は、ＵＬ ＣＣ）間のリンケージ（ｌｉｎｋａｇｅ）は、システム情報を用いて示すことができる。プライマリ周波数（又は、ＰＣＣ）上で動作するセルをプライマリセル（Ｐｒｉｍａｒｙ  Ｃｅｌｌ、ＰＣｅｌｌ）と呼び、セカンダリ周波数（又は、ＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌは、端末が初期ＲＲＣ接続設定（ｉｎｉｔｉａｌ  Ｒａｄｉｏ  Ｒｅｓｏｕｒｃｅ  Ｃｏｎｔｒｏｌ  ｃｏｎｎｅｃｔｉｏｎ  ｅｓｔａｂｌｉｓｈｍｅｎｔ）過程又はＲＲＣ接続再−設定過程を行う上で用いられる。ＰＣｅｌｌは、ハンドオーバー過程で指示されたセルを意味することができる。ＳＣｅｌｌは、基地局と端末間にＲＲＣ（Ｒａｄｉｏ  Ｒｅｓｏｕｒｃｅ  Ｃｏｎｔｒｏｌ）接続が設定された後に構成可能であり、追加の無線リソースを提供するために用いることができる。ＰＣｅｌｌとＳＣｅｌｌを総称して、サービングセルということができる。
【００２７】
特に言及しない限り、以下の説明は、複数のＣＣ（又は、セル）が併合された場合にそれぞれのＣＣ（又は、セル）に適用することができる。また、以下の説明で、ＣＣは、サービングＣＣ、サービングキャリア、セル、サービングセルなどの用語に代えてもよい。
【００２８】
図２は、無線フレーム（ｒａｄｉｏ  ｆｒａｍｅ）構造を例示する。
【００２９】
図２（ａ）は、ＦＤＤ（Ｆｒｅｑｕｅｎｃｙ  Ｄｉｖｉｓｉｏｎ  Ｄｕｐｌｅｘ）のためのタイプ１無線フレーム構造を例示する。無線フレームは、複数（例、１０個）のサブフレーム（Ｓｕｂｆｒａｍｅ、ＳＦ）を含み、ＳＦは、時間領域で複数（例、２個）のスロットを含む。ＳＦ長は１ｍｓ、スロット長は０．５ｍｓであってもよい。スロットは、時間領域で複数のＯＦＤＭ／ＳＣ−ＦＤＭＡシンボルを含み、周波数領域で複数のリソースブロック（Ｒｅｓｏｕｒｃｅ  Ｂｌｏｃｋ、ＲＢ）を含む。
【００３０】
図２（ｂ）は、ＴＤＤ（Ｔｉｍｅ  Ｄｉｖｉｓｉｏｎ  Ｄｕｐｌｅｘ）のためのタイプ２無線フレーム構造を例示する。タイプ２無線フレームは、２個のハーフフレーム（ｈａｌｆ  ｆｒａｍｅ）を含み、ハーフフレームは５個のＳＦを含む。ＳＦは２個のスロットを含む。
【００３１】
表１に、ＴＤＤにおいて無線フレーム内サブフレームのＵＬ−ＤＬ構成（Ｕｐｌｉｎｋ−Ｄｏｗｎｌｉｎｋ  Ｃｏｎｆｉｇｕｒａｔｉｏｎ、ＵＤ−ｃｆｇ）を例示する。ＵＤ−ｃｆｇは、システム情報（例、Ｓｙｓｔｅｍ  Ｉｎｆｏｒｍａｔｉｏｎ  Ｂｌｏｃｋ、ＳＩＢ）でシグナルされる。便宜上、ＴＤＤセルに対してＳＩＢによって設定されるＵＤ−ｃｆｇを、ＳＩＢ−ｃｆｇと称する。
【表１】
0006027270.tif 000002
【００３２】
表１で、ＤはＤＬ ＳＦ（Ｄｏｗｎｌｉｎｋ  Ｓｕｂｆｒａｍｅ）を、ＵはＵＬ ＳＦ（Ｕｐｌｉｎｋ  Ｓｕｂｆｒａｍｅ）を、ＳはＳ ＳＦ（Ｓｐｅｃｉａｌ  Ｓｕｂｆｒａｍｅ）を表す。スペシャルＳＦは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは、ＤＬ送信のための時間区間であり、ＵｐＰＴＳは、ＵＬ送信のための時間区間である。
【００３３】
図３には、ＤＬスロットのリソースグリッドを例示する。
【００３４】
図３を参照すると、ＤＬスロットは、時間ドメインで複数のＯＦＤＭＡシンボルを含む。ＤＬスロットは、ＣＰ（Ｃｙｃｌｉｃ  Ｐｒｅｆｉｘ）の長さによって７（６）個のＯＦＤＭＡシンボルを含み、リソースブロックは、周波数ドメインで１２個の副搬送波を含むことができる。リソースグリッド上の各要素はリソース要素（Ｒｅｓｏｕｒｃｅ  Ｅｌｅｍｅｎｔ、ＲＥ）と呼ばれる。ＲＢは、１２×７（６）個のＲＥを含む。ＤＬスロットに含まれるＲＢの個数ＮRBは、ＤＬ送信帯域に依存する。ＵＬスロットの構造はＤＬスロットの構造と同様であり、ただし、ＯＦＤＭＡシンボルがＳＣ−ＦＤＭＡシンボルに取り替えられる。
【００３５】
図４には、ＤＬサブフレームの構造を例示する。
【００３６】
図４を参照すると、サブフレームの第一のスロットにおいて先頭における最大３（４）個のＯＦＤＭＡシンボルは、制御チャネルが割り当てられる制御領域に該当する。残りのＯＦＤＭＡシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域に該当する。ＤＬ制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）を含む。ＰＣＦＩＣＨは、サブフレームの最初のＯＦＤＭＡシンボルで送信され、サブフレーム内で制御チャネルの送信に使われるＯＦＤＭＡシンボルの個数に関する情報を運ぶ。ＰＨＩＣＨは、ＵＬ送信に対する応答としてＨＡＲＱ−ＡＣＫ信号を運ぶ。
【００３７】
ＰＤＣＣＨは、下りリンク共有チャネル（Ｄｏｗｎｌｉｎｋ  Ｓｈａｒｅｄ  ＣＨａｎｎｅｌ、ＤＬ−ＳＣＨ）の送信フォーマット及びリソース割り当て情報、上りリンク共有チャネル（Ｕｐｌｉｎｋ  Ｓｈａｒｅｄ  ＣＨａｎｎｅｌ、ＵＬ−ＳＣＨ）の送信フォーマット及びリソース割り当て情報、ページングチャネル（Ｐａｇｉｎｇ  ＣＨａｎｎｅｌ、ＰＣＨ）上のページング情報、ＤＬ−ＳＣＨ上のシステム情報、ＰＤＳＣＨ上で送信されるランダム接続応答のような上位層制御メッセージのリソース割り当て情報、端末グループ内の個別端末に対する送信電力制御命令セット、送信電力制御命令、ＶｏＩＰ（Ｖｏｉｃｅ  ｏｖｅｒ  ＩＰ）の活性化指示情報などを運ぶ。
【００３８】
ＰＤＣＣＨを介してＤＣＩ（Ｄｏｗｎｌｉｎｋ  Ｃｏｎｔｒｏｌ  Ｉｎｆｏｒｍａｔｉｏｎ）が送信される。ＵＬスケジューリング（又は、ＵＬグラント）をためにＤＣＩフォーマット０／４（以下、ＵＬ ＤＣＩフォーマット）、ＤＬスケジューリングのためにＤＣＩフォーマット１／１Ａ／１Ｂ／１Ｃ／１Ｄ／２／２Ａ／２Ｂ／２Ｃ（以下、ＤＬ ＤＣＩフォーマット）が定義される。ＵＬ／ＤＬ ＤＣＩフォーマットは、ホッピングフラグ（ｈｏｐｐｉｎｇ  ｆｌａｇ）、ＲＢ割り当て情報、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、ＤＭＲＳ（ＤｅＭｏｄｕｌａｔｉｏｎ  Ｒｅｆｅｒｅｎｃｅ  Ｓｉｇｎａｌ）サイクリックシフトなどの情報を、用途に応じて選択的に含む。また、上りリンク信号の電力調節のためにＤＣＩフォーマット３／３Ａ（以下、ＴＰＣ ＤＣＩフォーマット）が定義される。ＴＰＣ ＤＣＩフォーマットは、複数の端末のためのビットマップ情報を含み、ビットマップ内でそれぞれの２ビット（ＤＣＩフォーマット３）又は１ビット（ＤＣＩフォーマット３Ａ）情報が、当該端末のＰＵＣＣＨ及びＰＵＳＣＨに対するＴＰＣコマンドを指示する。
【００３９】
制御領域内で複数のＰＤＣＣＨが送信されてもよく、端末は、自身に指示されたＰＤＣＣＨを確認するために、毎サブフレームごとに複数のＰＤＣＣＨをモニタする。ＰＤＣＣＨは、一つ以上のＣＣＥ（Ｃｏｎｔｒｏｌ  Ｃｈａｎｎｅｌ  Ｅｌｅｍｅｎｔ）を介して送信される。ＰＤＣＣＨ送信に使われるＣＣＥ個数（すなわち、ＣＣＥ併合レベル（ａｇｇｒｅｇａｔｉｏｎ  ｌｅｖｅｌ））を用いてＰＤＣＣＨコーディングレートを調節することができる。ＣＣＥは、ＲＥＧ（Ｒｅｓｏｕｒｃｅ  Ｅｌｅｍｅｎｔ  Ｇｒｏｕｐ）を含む。ＰＤＣＣＨのフォーマット及びＰＤＣＣＨビットの個数は、ＣＣＥ個数によって決定される。基地局は、端末に送信されるＤＣＩに基づいてＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣは、ＰＤＣＣＨの所有者又は使用目的によって識別子（例、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスクされる。例えば、ＰＤＣＣＨが特定端末のためのものであれば、端末識別子（例、Ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、Ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（Ｓｙｓｔｅｍ  Ｉｎｆｏｒｍａｔｉｏｎ  Ｂｌｏｃｋ、ＳＩＢ））のためのものであれば、ＳＩ−ＲＮＴＩ（Ｓｙｓｔｅｍ  Ｉｎｆｏｒｍａｔｉｏｎ  ＲＮＴＩ）をＣＲＣにマスクすることができる。ＰＤＣＣＨがランダム接続応答のためのものであれば、ＲＡ−ＲＮＴＩ（Ｒａｎｄｏｍ  Ａｃｃｅｓｓ−ＲＮＴＩ）をＣＲＣにマスクすることができる。
【００４０】
図５には、ＥＰＤＣＣＨを例示する。ＥＰＤＣＣＨは、ＬＴＥ−Ａで更に導入したチャネルである。
【００４１】
図５を参照すると、サブフレームの制御領域（図４参照）には、既存ＬＴＥに基づくＰＤＣＣＨ（便宜上、Ｌｅｇａｃｙ  ＰＤＣＣＨ、Ｌ−ＰＤＣＣＨ）を割り当てることができる。同図で、Ｌ−ＰＤＣＣＨ領域は、Ｌ−ＰＤＣＣＨが割り当てられうる領域を意味する。一方、データ領域（例、ＰＤＳＣＨのためのリソース領域）内にＰＤＣＣＨが更に割り当てることができる。データ領域に割り当てられたＰＤＣＣＨをＥＰＤＣＣＨと称する。図示のように、ＥＰＤＣＣＨを介して制御チャネルリソースを更に確保することによって、Ｌ−ＰＤＣＣＨ領域の制限された制御チャネルリソースによるスケジューリング制約を緩和することができる。Ｌ−ＰＤＣＣＨと同様に、ＥＰＤＣＣＨはＤＣＩを運ぶ。例えば、ＥＰＤＣＣＨは、下りリンクスケジューリング情報、上りリンクスケジューリング情報を運ぶことができる。例えば、端末は、ＥＰＤＣＣＨを受信し、ＥＰＤＣＣＨに対応するＰＤＳＣＨを介してデータ／制御情報を受信することができる。また、端末は、ＥＰＤＣＣＨを受信し、ＥＰＤＣＣＨに対応するＰＵＳＣＨを介してデータ／制御情報を送信することができる。セルタイプによって、ＥＰＤＣＣＨ／ＰＤＳＣＨをサブフレームの最初のＯＦＤＭシンボルから割り当ててもよい。
【００４２】
次に、複数のＣＣ（又は、セル）が構成された場合のスケジューリングについて説明する。複数のＣＣが構成された場合、クロス−キャリアスケジューリングとノン−クロス−キャリアスケジューリング（又は、セルフスケジューリング）を用いることができる。ノン−クロス−キャリアスケジューリング（又は、セルフスケジューリング）は、既存ＬＴＥにおけるスケジューリング方式と同一である。
【００４３】
クロス−キャリアスケジューリングが適用される場合、ＤＬグラントＰＤＣＣＨはＤＬ ＣＣ＃０上で送信され、対応するＰＤＳＣＨはＤＬ ＣＣ＃２上で送信されてもよい。同様に、ＵＬグラントＰＤＣＣＨはＤＬ ＣＣ＃０上で送信され、対応するＰＵＳＣＨはＵＬ ＣＣ＃４上で送信されてもよい。クロス−キャリアスケジューリングのために、ＣＩＦ（Ｃａｒｒｉｅｒ  Ｉｎｄｉｃａｔｏｒ  Ｆｉｅｌｄ、ＣＩＦ）を用いる。ＰＤＣＣＨ内でＣＩＦが存在するか否は、上位層シグナリング（例、ＲＲＣシグナリング）を用いて半−静的及び端末−特定（又は、端末グループ−特定）方式で設定することができる。
【００４４】
ＣＩＦ設定によるスケジューリングは、次のようにまとめることができる。
【００４５】
−  ＣＩＦディセーブルド（ｄｉｓａｂｌｅｄ）：ＤＬ ＣＣ上のＰＤＣＣＨは同一ＤＬ ＣＣ上のＰＤＳＣＨリソースを割り当てたり、一つのリンクされたＵＬ ＣＣ上のＰＵＳＣＨリソースを割り当てる
【００４６】
−  ＣＩＦイネーブルド（ｅｎａｂｌｅｄ）：ＤＬ ＣＣ上のＰＤＣＣＨは、ＣＩＦを用いて、複数の併合されたＤＬ／ＵＬ ＣＣの中から特定ＤＬ／ＵＬ ＣＣ上のＰＤＳＣＨ又はＰＵＳＣＨリソースを割り当てる
【００４７】
ＣＩＦが存在する場合、基地局は端末に一つ以上のＰＤＣＣＨモニタリングＤＬ ＣＣ（以下、Ｍｏｎｉｔｏｒｉｎｇ  ＣＣ、ＭＣＣ）を割り当てることができる。端末はＭＣＣでのみＰＤＣＣＨの検出／デコーディングを行うことができる。すなわち、基地局が端末にＰＤＳＣＨ／ＰＵＳＣＨをスケジュールする場合、ＰＤＣＣＨはＭＣＣ上でのみ送信される。ＭＣＣは、端末−特定（ＵＥ−ｓｐｅｃｉｆｉｃ）、端末−グループ−特定、又はセル−特定（ｃｅｌｌ−ｓｐｅｃｉｆｉｃ）方式で設定することができる。ＭＣＣはＰＣＣを含む。
【００４８】
図６に、クロス−キャリアスケジューリングを例示する。同図は、ＤＬスケジューリングを例示しているが、例示された事項は、ＵＬスケジューリングにも同一に適用される。
【００４９】
図６を参照すると、端末に３個のＤＬ ＣＣを構成し、ＤＬ ＣＣ ＡをＰＤＣＣＨモニタリングＤＬ ＣＣ（すなわち、ＭＣＣ）として設定することができる。ＣＩＦがディセーブルされた場合、それぞれのＤＬ ＣＣは、ＬＴＥ ＰＤＣＣＨ規則に従ってＣＩＦ無しで自身のＰＤＳＣＨをスケジュールするＰＤＣＣＨのみを送信することができる。一方、ＣＩＦがイネーブルされた場合、ＤＬ ＣＣ Ａ（すなわち、ＭＣＣ）は、ＣＩＦを用いてＤＬ ＣＣ ＡのＰＤＳＣＨをスケジュールするＰＤＣＣＨだけでなく、他のＣＣのＰＤＳＣＨをスケジュールするＰＤＣＣＨも送信することができる。本例で、ＤＬ ＣＣ Ｂ／ＣではＰＤＣＣＨが送信されない。
【００５０】
図７には、ＵＬサブフレームの構造を例示する。
【００５１】
図７を参照すると、１ｍｓ長のサブフレーム（５００）は、２つの０．５ｍｓスロット（５０１）で構成される。スロットは、ＣＰ長によって異なる数のＳＣ−ＦＤＭＡシンボルを含むことができる。例えば、一般ＣＰの場合、スロットは７個のＳＣ−ＦＤＭＡシンボルで構成され、拡張ＣＰの場合、スロットは６個のＳＣ−ＦＤＭＡシンボルで構成される。ＲＢ（５０３）は、周波数領域で１２個の副搬送波、時間領域で１個のスロットに該当するリソース割り当て単位である。上りリンクサブフレームの構造は、周波数上で、データ領域（５０４）と制御領域（５０５）とに区別される。データ領域は、ＰＵＳＣＨ（Ｐｈｙｓｉｃａｌ  Ｕｐｌｉｎｋ  Ｓｈａｒｅｄ  Ｃｈａｎｎｅｌ）を含み、音声などのデータ信号を送信するために用いられる。制御領域は、ＰＵＣＣＨ（Ｐｈｙｓｉｃａｌ  Ｕｐｌｉｎｋ  Ｃｏｎｔｒｏｌ  Ｃｈａｎｎｅｌ）を含み、ＵＣＩ（Ｕｐｌｉｎｋ  Ｃｏｎｔｒｏｌ  Ｉｎｆｏｒｍａｔｉｏｎ）の送信に用いられる。ＰＵＣＣＨは、周波数軸においてデータ領域の両端部に位置しているＲＢ（Ｒｅｓｏｕｒｃｅ  Ｂｌｏｃｋ）対（ＲＢ  ｐａｉｒ）を含み、スロットを境界でホップする。ＳＲＳ（Ｓｏｕｎｄｉｎｇ  Ｒｅｆｅｒｅｎｃｅ  Ｓｉｇｎａｌ）は、サブフレームの最後のＳＣ−ＦＤＭＡシンボルで送信される。ＳＲＳは、周期的に送信されてもよく、基地局の要請に応じて非周期的に送信されてもよい。ＳＲＳ周期的送信は、セル−特定パラメータと端末−特定パラメータによって定義される。セル−特定パラメータは、セル内でＳＲＳ送信が可能な総サブフレームセット（以下、セル−特定ＳＲＳサブフレームセット）を知らせ、端末−特定パラメータは、総サブフレームセット内で実際に端末に割り当てられたサブフレームサブセット（以下、端末−特定ＳＲＳサブフレームセット）を知らせる。
【００５２】
ＰＵＣＣＨは、次の制御情報を送信するために用いることができる。
【００５３】
−  ＳＲ（Ｓｃｈｅｄｕｌｉｎｇ  Ｒｅｑｕｅｓｔ）：ＵＬ−ＳＣＨ（Ｓｈａｒｅｄ  Ｃｈａｎｎｅｌ）リソースの要請に用いられる情報である。ＯＯＫ（Ｏｎ−Ｏｆｆ  Ｋｅｙｉｎｇ）方式で送信される。
【００５４】
−  ＨＡＲＱ−ＡＣＫ：ＤＬ信号（例、ＰＤＳＣＨ、ＳＰＳ解除ＰＤＣＣＨ）に対する受信応答信号である。一例として、一つのＤＬコードワードに対する応答としてＡＣＫ／ＮＡＣＫ  １ビットが送信され、２つのＤＬコードワードに対する応答としてＡＣＫ／ＮＡＣＫ  ２ビットが送信される。
【００５５】
−  ＣＳＩ（Ｃｈａｎｎｅｌ  Ｓｔａｔｕｓ  Ｉｎｆｏｒｍａｔｉｏｎ）：ＤＬチャネルに対するフィードバック情報である。ＣＳＩは、ＣＱＩ（Ｃｈａｎｎｅｌ  Ｑｕａｌｉｔｙ  Ｉｎｆｏｒｍａｔｉｏｎ）、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。ここで、ＣＳＩは、周期的ＣＳＩ（ｐｅｒｉｏｄｉｃ  ＣＳＩ、ｐ−ＣＳＩ）を意味する。基地局の要請に応じて送信される非周期的ＣＳＩ（ａｐｅｒｉｏｄｉｃ  ＣＳＩ、ａ−ＣＳＩ）は、ＰＵＳＣＨを介して送信される。
【００５６】
表２に、ＬＴＥ（−Ａ）においてＰＵＣＣＨフォーマット（ＰＵＣＣＨ  ｆｏｒｍａｔ、ＰＦ）とＵＣＩとの関係を示す。
【表２】
0006027270.tif 000003
【００５７】
図８には、スロットレベルでＰＵＣＣＨフォーマット１ａ／１ｂの構造を示す。ＰＵＣＣＨフォーマット１ａ／１ｂでは、同一内容の制御情報がサブフレーム内でスロット単位に反復される。互いに異なる端末のＡＣＫ／ＮＡＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なるＣＳ（Ｃｙｃｌｉｃ  Ｓｈｉｆｔ）（周波数ドメインコード）とＯＣＣ（Ｏｒｔｈｏｇｏｎａｌ  Ｃｏｖｅｒ  Ｃｏｄｅ）（時間ドメイン拡散コード）とで構成された互いに異なるリソースを介して送信される。ＯＣＣは、ウォルシュ（Ｗａｌｓｈ）／ＤＦＴ直交コードを含む。ＣＳの個数が６個であり、ＯＣの個数が３個である場合、１８個の端末のＡＣＫ／ＮＡＣＫ信号を同一ＰＲＢ（Ｐｈｙｓｉｃａｌ  Ｒｅｓｏｕｒｃｅ  Ｂｌｏｃｋ）内に多重化することができる。ＰＵＣＣＨフォーマット１では、ＰＵＣＣＨフォーマット１ａ／１ｂの構造においてＡＣＫ／ＮＡＫがＳＲに取り替えられる。
【００５８】
図９は、スロットレベルでＰＵＣＣＨフォーマット２の構造を示す。
【００５９】
図９を参照すると、一般ＣＰが構成された場合、ＰＵＣＣＨフォーマット２は、スロットレベルで５個のＱＰＳＫデータシンボルと２個のＲＳシンボルを含む。拡張ＣＰが構成された場合、ＰＵＣＣＨフォーマット２／２ａ／２ｂは、スロットレベルで５個のＱＰＳＫデータシンボルと１個のＲＳシンボルを含む。拡張ＣＰが構成された場合、ＲＳシンボルは各スロットで４番目のＳＣ−ＦＤＭＡシンボルに位置する。このため、ＰＵＣＣＨフォーマット２は、総１０個のＱＰＳＫデータシンボルを運ぶことができる。それぞれのＱＰＳＫシンボルは、ＣＳによって周波数ドメインで拡散された後、該当のＳＣ−ＦＤＭＡシンボルにマップされる。ＲＳは、ＣＳを用いてＣＤＭ（Ｃｏｄｅ  Ｄｉｖｉｓｉｏｎ  Ｍｕｌｔｉｐｌｅｘｉｎｇ）によって多重化することができる。Ａ／Ｎ送信とＣＳＩ送信が同一サブフレームで要求されることもある。この場合、上位層でＡ／Ｎ＋ＣＳＩ同時送信非−許容として設定されると（「Ｓｉｍｕｌｔａｎｅｏｕｓ−ＡＮ−ａｎｄ−ＣＱＩ」パラメータ＝ＯＦＦ）、Ａ／Ｎ送信のみがＰＵＣＣＨフォーマット１ａ／１ｂで行われ、ＣＳＩ送信はドロップする。一方、Ａ／Ｎ＋ＣＱＩ同時送信許容として設定されると（「Ｓｉｍｕｌｔａｎｅｏｕｓ−ＡＮ−ａｎｄ−ＣＱＩ」パラメータ＝ＯＮ）、Ａ／ＮとＣＳＩをＰＵＣＣＨフォーマット２／２ａ／２ｂを用いて併せて送信する。具体的に、一般ＣＰの場合、Ａ／Ｎは、ＰＵＣＣＨフォーマット２ａ／２ｂにおいて各スロットの２番目のＲＳに埋め込まれる（例、ＲＳにＡ／Ｎをかける）。拡張ＣＰの場合、Ａ／ＮとＣＳＩは、ジョイントコーディングされた後、ＰＵＣＣＨフォーマット２で送信される。
【００６０】
図１０に、スロットレベルのＰＵＣＣＨフォーマット３構造を例示する。ＰＵＣＣＨフォーマット３は、複数のＡＣＫ／ＮＡＣＫ情報を送信するために用いられ、ＣＳＩ及び／又はＳＲを併せて送信することができる。
【００６１】
図１０を参照すると、一つのシンボルシーケンスが周波数領域にわたって送信され、当該シンボルシーケンスにＯＣＣベースの時間−ドメイン拡散が適用される。具体的に、長さ−５（又は、長さ−４）のＯＣＣ（Ｃ１〜Ｃ５）を用いて一つのシンボルシーケンス（｛ｄ１，ｄ２，…｝）から５個のＳＣ−ＦＤＭＡシンボル（すなわち、ＵＣＩデータパート）が生成される。ここで、シンボルシーケンス（｛ｄ１，ｄ２，…｝）は、変調シンボルシーケンス又はコードワードビットシーケンスを意味することができる。シンボルシーケンス（｛ｄ１，ｄ２，…｝）は、ジョイントコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅなど）、ブロック−拡散（Ｂｌｏｃｋ−ｓｐｒｅａｄｉｎｇ）、ＳＣ−ＦＤＭＡ変調を経て複数のＡＣＫ／ＮＡＣＫ情報から生成されてもよい。
【００６２】
図１１に、ＰＵＳＣＨを介してＵＣＩを送信する方法を例示する。ＵＣＩ送信が要求されるサブフレームにＰＵＳＣＨ割り当てがある場合、ＵＣＩをＰＵＳＣＨを介して送信することができる（ＰＵＳＣＨピギーバック）。具体的に、ＣＳＩ／ＰＭＩ及びＲＩのピギーバックのために、ＰＵＳＣＨデータ（すなわち、ＵＬ−ＳＣＨデータ）情報（例、符号化されたシンボル）を、ＣＳＩ／ＰＭＩ及びＲＩの量を考慮してレート−マッチング（ｒａｔｅ−ｍａｔｃｈｉｎｇ）する。一方、ＡＣＫ／ＮＡＣＫは、ＵＬ−ＳＣＨデータがマッピングされたＳＣ−ＦＤＭＡのリソースの一部にパンクチャリングを用いて挿入する。また、ＵＣＩは、ＵＬ−ＳＣＨデータ無しでＰＵＳＣＨ上で送信されるようにスケジュールされてもよい。
【００６３】
一方、各端末は、自身／他の端末のＳＲＳを保護するために、セル−特定ＳＲＳサブフレームセットにおいてＰＵＣＣＨを送信しなければならない場合、第二のスロットの最後のＳＣ−ＦＤＭＡシンボルをＰＵＣＣＨ送信に使用しない。便宜上、サブフレームの全ＳＣ−ＦＤＭＡシンボルがＰＵＣＣＨ送信に用いられるＰＵＣＣＨフォーマットを一般（ｎｏｒｍａｌ）ＰＵＣＣＨフォーマットと称し、第二のスロットの最後のＳＣ−ＦＤＭＡシンボルがＰＵＣＣＨ送信に用いられないＰＵＣＣＨフォーマットを、短縮（ｓｈｏｒｔｅｎｅｄ）ＰＵＣＣＨフォーマットと称する。同一の理由で、セル−特定ＳＲＳサブフレームセットにＰＵＳＣＨが割り当てられた場合、各端末は、第二のスロットの最後のＳＣ−ＦＤＭＡシンボルをＰＵＳＣＨ送信に使用しない。具体的に、ＰＵＳＣＨデータ（すなわち、ＵＬ−ＳＣＨデータ）情報（例、符号化されたシンボル）は、最後のＳＣ−ＦＤＭＡシンボルのリソース量を考慮してレート−マッチングされる。便宜上、サブフレームの全ＳＣ−ＦＤＭＡシンボルがＰＵＳＣＨ送信に用いられるＰＵＳＣＨを、一般（ｎｏｒｍａｌ）ＰＵＳＣＨと称し、第二のスロットの最後のＳＣ−ＦＤＭＡシンボルが用いられないＰＵＳＣＨを、レート−マッチングされたＰＵＳＣＨと称する。
【００６４】
以下、図１２〜図１７を参照して、ＡＣＫ／ＮＡＣＫ送信過程及びそれによる信号送信タイミングについて説明する。図１２〜図１７は、ＴＤＤ ＣＣ（或いは、セル）を基準に例示しており、ＦＤＤ ＣＣ（或いは、セル）に対するタイミングについては更に説明する。
【００６５】
図１２及び図１３に、ＡＣＫ／ＮＡＣＫ（Ａ／Ｎ）タイミング（或いは、ＨＡＲＱタイミング）を示す。
【００６６】
図１２を参照すると、端末は、Ｍ個のＤＬサブフレーム（Ｓｕｂｆｒａｍｅ、ＳＦ）上で一つ以上のＰＤＳＣＨ信号を受信することができる（Ｓ５０２＿０〜Ｓ５０２＿Ｍ−１）（Ｍ≧１）。それぞれのＰＤＳＣＨ信号は、送信モードによって一つ又は複数（例、２個）の伝送ブロック（Ｔｒａｎｓｐｏｒｔ  Ｂｌｏｃｋ、ＴＢ）を含むことができる。図示してはいないが、段階Ｓ５０２＿０〜Ｓ５０２＿Ｍ−１で、ＳＰＳ解除を示すＰＤＣＣＨ信号を受信することもできる。Ｍ個のＤＬサブフレームにＰＤＳＣＨ信号及び／又はＳＰＳ解除ＰＤＣＣＨ信号が存在すると、端末は、ＡＣＫ／ＮＡＣＫ送信のための過程（例、ＡＣＫ／ＮＡＣＫ（ペイロード）生成、ＡＣＫ／ＮＡＣＫリソース割り当てなど）を経て、Ｍ個のＤＬサブフレームに対応する一つのＵＬサブフレームを通じてＡＣＫ／ＮＡＣＫを送信する（Ｓ５０４）。ＡＣＫ／ＮＡＣＫは、段階Ｓ５０２＿０〜Ｓ５０２＿Ｍ−１におけるＰＤＳＣＨ信号及び／又はＳＰＳ解除ＰＤＣＣＨ信号に対する受信応答情報を含む。ＡＣＫ／ＮＡＣＫは基本的にＰＵＣＣＨを介して送信されるが、ＡＣＫ／ＮＡＣＫ送信時点にＰＵＳＣＨ割り当てがある場合にはＰＵＳＣＨを介して送信される。端末に複数のＣＣが構成された場合、ＰＵＣＣＨはＰＣＣ上でのみ送信され、ＰＵＳＣＨは、スケジュールされたＣＣ上で送信される。ＡＣＫ／ＮＡＣＫ送信のために表２の様々なＰＵＣＣＨフォーマットを用いることができる。ＡＣＫ／ＮＡＣＫビット数を減らすために、ＡＣＫ／ＮＡＣＫバンドリング（ｂｕｎｄｌｉｎｇ）、ＡＣＫ／ＮＡＣＫチャネル選択（Ｃｈａｎｎｅｌ  ｓｅｌｅｃｔｉｏｎ、ＣＨｓｅｌ）のような様々な方法を用いることができる。
【００６７】
ＦＤＤにおいてＭ＝１であり、ＴＤＤにおいてＭは１以上の整数である。ＴＤＤにおいて、Ｍ個のＤＬサブフレームとＡ／Ｎが送信されるＵＬサブフレームとの関係は、ＤＡＳＩ（Ｄｏｗｎｌｉｎｋ  Ａｓｓｏｃｉａｔｉｏｎ  Ｓｅｔ  Ｉｎｄｅｘ）によって与えられる。
【００６８】
表３には、ＬＴＥ（−Ａ）に定義されたＤＡＳＩ（Ｋ：｛ｋ０，ｋ１，…ｋＭ−１｝）を示す。サブフレームｎ−ｋ（ｋ∈Ｋ）にＰＤＳＣＨ送信及び／又はＳＰＳ解除（Ｓｅｍｉ−Ｐｅｒｓｉｓｔｅｎｔ  Ｓｃｈｅｄｕｌｉｎｇ  ｒｅｌｅａｓｅ）を指示するＰＤＣＣＨがある場合、端末は、サブフレームｎでＡＣＫ／ＮＡＣＫを送信する。ＦＤＤにおいてＤＡＳＩ（便宜上、ｄF）＝４である。
【表３】
0006027270.tif 000004
【００６９】
ＴＤＤ方式で動作時に、端末は、Ｍ個のＤＬ ＳＦで受信した一つ以上のＤＬ送信（例、ＰＤＳＣＨ）に対するＡ／Ｎ信号を、一つのＵＬ ＳＦで送信しなければならない。複数のＤＬ ＳＦに対するＡ／Ｎを一つのＵＬ ＳＦで送信する方式は、次のとおりである。
【００７０】
１）Ａ／Ｎバンドリング（Ａ／Ｎ  ｂｕｎｄｌｉｎｇ）：複数のデータユニット（例、ＰＤＳＣＨ、ＳＰＳ解除ＰＤＣＣＨなど）に対するＡ／Ｎビットが論理演算（例、論理−ＡＮＤ演算）によって結合される。例えば、全てのデータユニットが成功的に復号されると、受信端（例、端末）はＡＣＫ信号を送信する。一方、データユニットの一つでも復号（又は、検出）に失敗すると、受信端はＮＡＣＫ信号を送信しないか又は何も送信しない。
【００７１】
２）チャネル選択（Ｃｈａｎｎｅｌ  ｓｅｌｅｃｔｉｏｎ、ＣＨｓｅｌ）：複数のデータユニット（例、ＰＤＳＣＨ、ＳＰＳ解除ＰＤＣＣＨなど）を受信する端末は、Ａ／Ｎ送信のために複数のＰＵＣＣＨリソースを占有する。複数のデータユニットに対するＡ／Ｎ応答は、実際にＡ／Ｎ送信に用いられたＰＵＣＣＨリソースと送信されたＡ／Ｎ内容（例、ビット値、ＱＰＳＫシンボル値）との組合せによって識別される。チャネル選択方式は、Ａ／Ｎ選択方式、ＰＵＣＣＨ選択方式とも呼ばれる。
【００７２】
次に、Ｌ−ＰＤＣＣＨベーススケジューリングの場合、ＡＣＫ／ＮＡＣＫ送信リソースを決定する方法について説明する。Ａ／Ｎ送信のためにＰＵＣＣＨフォーマット１ａ／１ｂ（以下、ＰＦ１）が設定された場合、ＤＬグラントＬ−ＰＤＣＣＨによってスケジュールされたＤＬデータに対するＡＣＫ／ＮＡＣＫ送信リソースとしては、ＤＬグラントＬ−ＰＤＣＣＨを構成する特定ＥＣＣＥインデックス（例、最小ＥＣＣＥインデックス）にリンクされたＰＵＣＣＨリソースを決定することができる（暗黙的（ｉｍｐｌｉｃｉｔ  ＰＵＣＣＨリソース））。具体的に、ＬＴＥ／ＬＴＥ−ＡにおいてＰＦ１リソースインデックスは、次のように定められる。
【数１】
0006027270.tif 000005
【００７３】
ここで、ｎ(1)PUCCHは、ＡＣＫ／ＮＡＣＫ／ＤＴＸを送信するためのＰＦ１のリソースインデックスを表し、Ｎ(1)PUCCHは、上位層（例、Ｒａｄｉｏ  Ｒｅｓｏｕｒｃｅ  Ｃｏｎｔｒｏｌ、ＲＲＣ）から伝達されたシグナリング値を表し、ｎCCEは、Ｌ−ＰＤＣＣＨ送信に用いられたＣＣＥインデックスのうち、最小の値を表す。ｎ(1)PUCCHから、ＰＦ１のためのＣＳ（Ｃｙｃｌｉｃ  Ｓｈｉｆｔ）、ＯＣ（Ｏｒｔｈｏｇｏｎａｌ  Ｃｏｄｅ）及びＰＲＢ（Ｐｈｙｓｉｃａｌ  Ｒｅｓｏｕｒｃｅ  Ｂｌｏｃｋ）が得られる。
【００７４】
Ａ／Ｎ送信のためにＰＵＣＣＨフォーマット３（ＰＦ３）が設定された場合、上位層（例、ＲＲＣ）によって割り当てられた複数ＰＦ３リソースインデックス（ｎ(3)PUCCH）のうちの特定の一つのＰＦ３リソースインデックスを、ＤＬグラントＬ−ＰＤＣＣＨのＡＲＩ（ＡＣＫ／ＮＡＣＫ  Ｒｅｓｏｕｒｃｅ  Ｉｎｄｉｃａｔｏｒ）値によって示すことができる（明示的（ｅｘｐｌｉｃｉｔ  ＰＵＣＣＨリソース））。ＡＲＩは、ＳＣｅｌｌのＰＤＳＣＨをスケジュールするＬ−ＰＤＣＣＨのＴＰＣフィールドを通じて送信される。ｎ(3)PUCCHから、ＰＦ３のためのＯＣ及びＰＲＢが得られる。
【００７５】
一方、ＥＰＤＣＣＨベーススケジューリングの場合にも、ＤＬグラントＥＰＤＣＣＨによってスケジュールされたＤＬデータに対するＡＣＫ／ＮＡＣＫ送信リソースとしては、ＤＬグラントＥＰＤＣＣＨを構成する特定ＥＣＣＥインデックス（例、最小ＥＣＣＥインデックス）或いはここに特定オフセット値が追加されたＥＣＣＥインデックスにリンクされたＰＵＣＣＨリソースを決定することができる。また、ＡＣＫ／ＮＡＣＫフィードバック送信リソースは、ＤＬグラントＥＰＤＣＣＨを構成する特定ＥＣＣＥインデックス（例、最小ＥＣＣＥインデックス）にリンクされたＰＵＣＣＨリソース或いはここに特定オフセット値が追加されたＰＵＣＣＨリソースとして決定することができる。ここで、特定オフセット値は、ＤＬグラントＥＰＤＣＣＨ内ＡＲＯ（ＡＣＫ／ＮＡＣＫ  Ｒｅｓｏｕｒｃｅ  Ｏｆｆｓｅｔ）フィールドを通じて直接シグナルされる値及び／又はＡＰ（Ａｎｔｅｎｎａ  Ｐｏｒｔ）別に専用（ｄｅｄｉｃａｔｅｄ）に指定される値などによって決定することができる。具体的に、フレーム構造タイプ（例、ＦＤＤ又はＴＤＤ）及びＡ／Ｎフィードバック送信方式（例、ＰＦ３又はＣＨｓｅｌ）によって、ＤＬグラントＥＰＤＣＣＨ内のＴＰＣフィールド及びＡＲＯフィールドを通じてシグナルされる情報を次のように構成することができる。便宜上、ＰＵＣＣＨ電力制御のためのＴＰＣコマンドを「ＴＰＣ値」、暗黙的ＰＵＣＣＨインデックス決定時に追加されるオフセット値を「ＡＲＯ値」，ＲＲＣで割り当てられた複数ＰＦ３インデックス或いは複数ＰＦ１インデックス（グループ）の中から特定の一つを指示するＡＲＩを「ＡＲＩ値」と定義する。また、何らの情報も含まずに（仮想ＣＲＣなどの用途のために）挿入される固定された値（例、「０」）を、「固定値（ｆｉｘｅｄ  ｖａｌｕｅ）」と定義する。
【００７６】
１）ＦＤＤ  ｗｉｔｈ  ＰＦ３
Ａ．ＴＰＣフィールド
ｉ．ＰＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌをスケジュールするＤＬグラント：ＡＲＯ値
ii．ＳＣｅｌｌをスケジュールするＤＬグラント：固定値
【００７７】
２）ＦＤＤ  ｗｉｔｈ  ＣＨｓｅｌ
Ａ．ＴＰＣフィールド
ｉ．ＰＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌを通じて送信されるＤＬグラント：ＡＲＯ値
ii．ＳＣｅｌｌを通じて送信されるＤＬグラント：固定値
【００７８】
３）ＴＤＤ  ｗｉｔｈ  ＰＦ３
Ａ．ＴＰＣフィールド
ｉ．ＰＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌをスケジュールしながらＤＡＩ＝１に対応するＤＬグラント：ＡＲＯ値
ii．ＰＣｅｌｌをスケジュールしながらＤＡＩ＝１に対応しないＤＬグラント：ＡＲＩ値
iii ．ＳＣｅｌｌをスケジュールするＤＬグラント：固定値
【００７９】
４）ＴＤＤ  ｗｉｔｈ  ＣＨｓｅｌ
Ａ．ＴＰＣフィールド
ｉ．ＰＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌを通じて送信されるＤＬグラント：ＡＲＯ値
ii．ＳＣｅｌｌを通じて送信されるＤＬグラント：固定値
【００８０】
図１３は、ＵＬ−ＤＬ構成＃１が設定されたＣＣに適用されるＡ／Ｎタイミングを例示する。ＳＦ＃０〜＃９及びＳＦ＃１０〜＃１９はそれぞれ無線フレームに対応する。ボックス内の数字は、ＤＬサブフレームの観点で自身に関連付けられたＵＬサブフレームを示す。例えば、ＳＦ＃５のＰＤＳＣＨに対するＡＣＫ／ＮＡＣＫはＳＦ＃５＋７（＝ＳＦ＃１２）で送信され、ＳＦ＃６のＰＤＳＣＨに対するＡＣＫ／ＮＡＣＫはＳＦ＃６＋６（＝ＳＦ＃１２）で送信される。すなわち、ＳＦ＃５／ＳＦ＃６に対するＡＣＫ／ＮＡＣＫは両方ともＳＦ＃１２で送信される。ＳＦ＃１４のＰＤＳＣＨに対するＡＣＫ／ＮＡＣＫは、ＳＦ＃１４＋４（＝ＳＦ＃１８）で送信される。
【００８１】
図１４及び図１５には、ＵＬグラント（ＵＬ  ｇｒａｎｔ；ＵＧ）−ＰＵＳＣＨタイミングを示す。ＰＤＣＣＨ（ＵＬグラント）及び／又はＰＨＩＣＨ（ＮＡＣＫ）に対応してＰＵＳＣＨを送信することができる。
【００８２】
図１４を参照すると、端末は、ＰＤＣＣＨ（ＵＬグラント）及び／又はＰＨＩＣＨ（ＮＡＣＫ）を受信することができる（Ｓ７０２）。ここで、ＮＡＣＫは、以前のＰＵＳＣＨ送信に対するＡＣＫ／ＮＡＣＫ応答に該当する。この場合、端末はＰＵＳＣＨ送信のための過程（例、ＴＢ符号化、ＴＢ−ＣＷスワップ、ＰＵＳＣＨリソース割り当てなど）を経て、ｋサブフレームの後にＰＵＳＣＨを介して一つ又は複数の伝送ブロック（ＴＢ）を初期／再送信することができる（Ｓ７０４）。本例は、ＰＵＳＣＨが１回送信される一般（ｎｏｒｍａｌ）のＨＡＲＱ動作を仮定する。この場合、ＰＵＳＣＨ送信に対応するＰＨＩＣＨ／ＵＬグラントは同一サブフレームに存在する。ただし、ＰＵＳＣＨが複数のサブフレームで複数回送信されるサブフレームバンドリングでは、ＰＵＳＣＨ送信に対応するＰＨＩＣＨ／ＵＬグラントは、互いに異なるサブフレームで存在してもよい。
【００８３】
表４には、ＬＴＥ（−Ａ）にＰＵＳＣＨ送信のためのＵＡＩ（Ｕｐｌｉｎｋ  Ａｓｓｏｃｉａｔｉｏｎ  Ｉｎｄｅｘ）（ｋ）を示す。表４は、ＰＨＩＣＨ／ＵＬグラントが検出されたＤＬサブフレームの立場で自身に関連付けられたＵＬサブフレームとの間隔を表している。具体的に、サブフレームｎでＰＨＩＣＨ／ＵＬグラントが検出されると、端末はサブフレームｎ＋ｋでＰＵＳＣＨを送信することができる。ＦＤＤにおいてＵＡＩ（すなわち、ｋ）＝４である。
【表４】
0006027270.tif 000006
【００８４】
図１５は、ＵＬ−ＤＬ構成＃１が設定された場合のＰＵＳＣＨ送信タイミングを例示する。ＳＦ＃０〜＃９及びＳＦ＃１０〜＃１９はそれぞれ無線フレームに対応する。同図で、ボックス内の数字は、ＤＬサブフレームの観点で自身に関連付けられたＵＬサブフレームを表す。例えば、ＳＦ＃６のＰＨＩＣＨ／ＵＬグラントに対するＰＵＳＣＨはＳＦ＃６＋６（＝ＳＦ＃１２）で送信され、ＳＦ＃１４のＰＨＩＣＨ／ＵＬグラントに対するＰＵＳＣＨはＳＦ＃１４＋４（＝ＳＦ＃１８）で送信される。
【００８５】
図１６及び図１７には、ＰＵＳＣＨ−ＵＬグラント（ＵＧ）／ＰＨＩＣＨタイミングを示す。ＰＨＩＣＨはＤＬ ＡＣＫ／ＮＡＣＫを送信するために用いられる。ここで、ＤＬ ＡＣＫ／ＮＡＣＫは、ＵＬデータ（例、ＰＵＳＣＨ）に対する応答として下りリンクで送信されるＡＣＫ／ＮＡＣＫを意味する。
【００８６】
図１６を参照すると、端末は基地局にＰＵＳＣＨ信号を送信する（Ｓ９０２）。ここで、ＰＵＳＣＨ信号は送信モードによって一つ又は複数（例、２個）の伝送ブロック（ＴＢ）を送信するために用いられる。ＰＵＳＣＨ送信に対する応答として、基地局は、ＡＣＫ／ＮＡＣＫを送信するための過程（例、ＡＣＫ／ＮＡＣＫ生成、ＡＣＫ／ＮＡＣＫリソース割り当てなど）を経て、ｋサブフレームの後にＰＨＩＣＨを介してＡＣＫ／ＮＡＣＫを端末に送信することができる（Ｓ９０４）。ＡＣＫ／ＮＡＣＫは、段階Ｓ９０２のＰＵＳＣＨ信号に関する受信応答情報を含む。また、ＰＵＳＣＨ送信に対する応答がＮＡＣＫであると、基地局はｋサブフレームの後にＰＵＳＣＨ再送信のためのＵＬグラントＰＤＣＣＨを端末に送信することができる（Ｓ９０４）。本例は、ＰＵＳＣＨが１回送信される一般のＨＡＲＱ動作を仮定する。この場合、ＰＵＳＣＨ送信に対応するＵＬグラント／ＰＨＩＣＨは、同一サブフレームで送信することができる。ただし、サブフレームバンドリングの場合、ＰＵＳＣＨ送信に対応するＵＬグラント／ＰＨＩＣＨを、互いに異なるサブフレームで送信することができる。
【００８７】
表５には、ＴＤＤに定義されたＰＨＩＣＨタイミングを示す。サブフレーム＃ｎのＰＵＳＣＨ送信に対して、端末はサブフレーム＃（ｎ＋ｋPHICH）で対応するＰＣＨＩＨリソースを決定する。ＦＤＤにおいてｋPHICH＝４である。
【表５】
0006027270.tif 000007
【００８８】
図１７は、ＵＬ−ＤＬ構成＃１が設定された場合のＵＬグラント／ＰＨＩＣＨ送信タイミングを例示する。ＳＦ＃０〜＃９及びＳＦ＃１０〜＃１９はそれぞれ無線フレームに対応する。ボックス内の数字は、ＵＬサブフレーム観点で自身に関連付けられたＤＬサブフレームを表す。例えば、ＳＦ＃２のＰＵＳＣＨに対するＰＨＩＣＨ／ＵＬグラントはＳＦ＃２＋４（＝ＳＦ＃６）で送信され、ＳＦ＃８のＰＵＳＣＨに対するＵＬグラント／ＰＨＩＣＨはＳＦ＃８＋６（＝ＳＦ＃１４）で送信される。
【００８９】
ＴＤＤと設定されているＣＣ（或いはセル）に対して、端末が基地局にＡＣＫ／ＮＡＣＫ信号を送信するとき、次の問題が生じることがある：複数のサブフレーム区間において基地局から送られたＰＤＣＣＨの一部を端末が逃した場合、端末は、逃したＰＤＣＣＨに該当するＰＤＳＣＨが自身に送信された事実さえ知らず、ＡＣＫ／ＮＡＣＫ生成時に誤りが発生することがある。
【００９０】
このような問題を解決するために、ＴＤＤ ＣＣのためのＤＬグラントＰＤＣＣＨ／ＳＰＳ解除ＰＤＣＣＨは、ＤＡＩフィールド（すなわち、ＤＬ ＤＡＩフィールド）を含む。ＤＬ ＤＡＩフィールドの値は、ＤＬサブフレームｎ−ｋ（ｋ∈Ｋ）内で現在サブフレームまでＰＤＳＣＨに対応するＰＤＣＣＨ及び下りリンクＳＰＳ解除を指示するＰＤＣＣＨの累積値（すなわち、カウント値）を表す。例えば、３個のＤＬサブフレームが一つのＵＬサブフレームに対応する場合、３個のＤＬサブフレーム区間に送信されるＰＤＳＣＨに順次にインデックスを付与（すなわち、順次にカウント）し、ＰＤＳＣＨをスケジューリングするＰＤＣＣＨに載せて送る。端末は、ＰＤＣＣＨにおけるＤＡＩ情報から、以前のＰＤＣＣＨを正確に受信したかが確認できる。
【００９１】
図１８には、ＤＬ ＤＡＩを用いたＡＣＫ／ＮＡＣＫ送信を例示する。本例は、３ ＤＬサブフレーム：１ ＵＬサブフレームとしたＴＤＤシステムを仮定する。便宜上、端末がＰＵＳＣＨリソースを用いてＡＣＫ／ＮＡＣＫを送信すると仮定する。ＬＴＥではＰＵＳＣＨを介してＡＣＫ／ＮＡＣＫを送信する場合、１ビット又は２ビットのバンドリングされたＡＣＫ／ＮＡＣＫを送信する。
【００９２】
図１８を参照すると、第一の例示（例１）のように、２番目のＰＤＣＣＨを逃した場合、端末は、３番目のＰＤＣＣＨのＤＬ ＤＡＩ値とその時点まで検出されたＰＤＣＣＨの数とが異なることから、２番目のＰＤＣＣＨを逃したことが認識できる。この場合、端末は２番目のＰＤＣＣＨに対するＡＣＫ／ＮＡＣＫ応答をＮＡＣＫ（或いは、ＮＡＣＫ／ＤＴＸ）と処理できる。一方、第二の例示（例２）のように、最後のＰＤＣＣＨを逃した場合、端末は、最後に検出したＰＤＣＣＨのＤＡＩ値とその時点まで検出されたＰＤＣＣＨの数とが一致するため、最後のＰＤＣＣＨを逃したことが認識できない（すなわち、ＤＴＸ）。そのため、端末は、ＤＬサブフレーム区間において２個のＰＤＣＣＨのみがスケジュールされたと認識する。この場合、端末は、前部における２個のＰＤＣＣＨに対応するＡＣＫ／ＮＡＣＫのみをバンドリングし、ＡＣＫ／ＮＡＣＫフィードバック過程はで誤りが発生する。このような問題を解決するために、ＵＬグラントＰＤＣＣＨもＤＡＩフィールド（すなわち、ＵＬ ＤＡＩフィールド）を含む。ＵＬ ＤＡＩフィールドは、２ビットフィールドであり、スケジュールされたＰＤＣＣＨの個数に関する情報を知らせる。
【００９３】
表６は、ＤＣＩフォーマット内のＤＡＩフィールドが指示する値（ＶDLDAI、ＶULDAI）を示すものである。ＶDLDAIはＤＬ ＤＡＩ値を表し、ＶULDAIはＵＬ ＤＡＩ値を表す。ＶDLDAIは、ＵＬ−ＤＬ構成＃１−６の場合に、ＤＣＩフォーマット１／１Ａ／１Ｂ／１Ｄ／２／２Ａ／２Ｂ／２Ｃ／２Ｄ内のＤＡＩフィールドの値を表す。ＶULDAIは、（ｉ）ＵＬ−ＤＬ構成＃１−６である一つのＣＣ（或いはセル）が構成されたり、（ii）端末がＰＵＣＣＨフォーマット３を用いないように設定された場合に、ＤＣＩフォーマット０／４内のＤＡＩフィールドの値を表す。
【表６】
0006027270.tif 000008
【００９４】
表７は、ＤＣＩフォーマット０／４内のＤＡＩフィールドが指示する値（ＷULDAI）を示すものである。ＷULDAIは、（ｉ）ＵＬ−ＤＬ構成＃１−６である複数のＣＣ（或いはセル）が構成されたり、（ii）ＵＬ−ＤＬ構成＃１−６である一つのＣＣ（或いはセル）が構成され、ＰＵＣＣＨフォーマット３を用いるように設定された場合に、ＤＣＩフォーマット０／４内のＤＡＩフィールドの値を表す。
【表７】
0006027270.tif 000009
【００９５】
便宜上、特に言及しない限り、ＤＬ ＤＡＩはＶ、ＵＬ ＤＡＩはＷと称する。
【００９６】
ＤＡＩは、ＡＣＫ／ＮＡＣＫ送信のための過程で様々に用いられる。例えば、ＤＡＩは、図１８を参照して例示したとおり、ＤＴＸ検出に用いたり、ＡＣＫ／ＮＡＣＫペイロード生成過程（例、ＡＣＫ／ＮＡＣＫペイロードサイズ決定、ＡＣＫ／ＮＡＣＫペイロード内でＡＣＫ／ＮＡＣＫ情報の位置など）に用いたり、ＡＣＫ／ＮＡＣＫリソース割り当て過程に用いたりできる。
【００９７】
まず、ＤＡＩを用いたＤＴＸ検出例を説明する。図１を再び参照すると、端末は、
【数２】
0006027270.tif 000010
の場合、少なくとも一つのＤＬ割り当てが損失されたと仮定し（すなわち、ＤＴＸ発生）、バンドリング過程によって全てのコードワードに対してＮＡＣＫを生成する。ＵDAIは、サブフレームｎ−ｋ（ｋ∈Ｋ）（表３参照）で検出されたＤＬグラントＰＤＣＣＨ及びＳＰＳ解除ＰＤＣＣＨの総個数を表す。ＮSPSは、ＳＰＳ ＰＤＳＣＨの個数を表す（０又は１）。
【００９８】
次に、ＤＡＩを用いたＡＣＫ／ＮＡＣＫペイロード生成例を説明する。便宜上、ＰＵＣＣＨフォーマット３が設定された場合について説明する。ＰＵＣＣＨフォーマット３のためのＡＣＫ／ＮＡＣＫペイロードはセル別に構成された後、セルインデックス順序に従って連接する。具体的に、ｃ−番目のサービングセル（或いはＤＬ ＣＣ）のためのＨＡＲＱ−ＡＣＫフィードバックビットは、
【数３】
0006027270.tif 000011
と与えられる（ｃ≧０）。ＯACKcは、ｃ−番目のサービングセルのためのＨＡＲＱ−ＡＣＫペイロードのビット数（すなわち、サイズ）を表す。ｃ−番目のサービングセルに対して、単一伝送ブロック送信をサポートする送信モードが設定されたり空間バンドリングが適用される場合、ＯACKc＝ＢDLcと与えることができる。
【００９９】
一方、ｃ−番目のサービングセルに対して、複数（例、２）の伝送ブロック送信をサポートする送信モードが設定され、且つ空間バンドリングが適用されない場合、ＯACKc＝２ＢDLcと与えることができる。ＨＡＲＱ−ＡＣＫフィードバックビットがＰＵＣＣＨを介して送信される場合、又はＨＡＲＱ−ＡＣＫフィードバックビットがＰＵＳＣＨを介して送信されるが、ＰＵＳＣＨに対応するＷが存在しない場合（例、ＳＰＳ方式ベースのＰＵＳＣＨ）、ＢDLc＝Ｍと与えられる。Ｍは、表３に定義されたＫセット内の元素の個数を表す。ＴＤＤ ＵＬ−ＤＬ構成が＃１、＃２、＃３、＃４、＃６であり、ＨＡＲＱ−ＡＣＫフィードバックビットがＰＵＳＣＨを介して送信される場合、ＢDLc＝ＷULDAIと与えられる。ＷULDAIは、ＵＬグラントＰＤＣＣＨ内のＵＬ ＤＡＩフィールドが指示する値を表し（表７）、簡単にＷで表示する。
【数４】
0006027270.tif 000012
【０１００】
【数５】
0006027270.tif 000013
【０１０１】
実施例：インター−サイトＣＡでのＵＣＩ送信
既存のＬＴＥ−Ａでは、一つの端末に併合される複数セルはいずれも一つの基地局で管理することを考慮する（イントラ−サイトＣＡ）（図１参照）。イントラ−サイトＣＡでは、全てのセルを一つの基地局が管理するので、ＲＲＣ設定／報告及びＭＡＣ（Ｍｅｄｉｕｍ  Ａｃｃｅｓｓ  Ｃｏｎｔｒｏｌ）コマンド／メッセージなどに関連したシグナリングを、併合された如何なるセルでも行うことができる。例えば、特定ＳＣｅｌｌをＣＡセルセットに追加したり解除する過程、特定セルの送信モード（Ｔｒａｎｓｍｉｓｓｉｏｎ  Ｍｏｄｅ、ＴＭ）を変更する過程、特定セルに関連付いたＲＲＭ（Ｒａｄｉｏ  Ｒｅｓｏｕｒｃｅ  Ｍａｎａｇｅｍｅｎｔ）測定報告を行う過程などに伴うシグナリングを、ＣＡセルセット内の如何なるセルでも行うことができる。他の例として、特定ＳＣｅｌｌを活性化／非活性化させる過程、ＵＬバッファー管理のためのＢＳＲ（Ｂｕｆｆｅｒ  Ｓｔａｔｕｓ  Ｒｅｐｏｒｔ）などに伴うシグナリングも、ＣＡセルセット内の如何なるセルでも行うことができる。他の例として、ＵＬ電力制御のためのセル−別ＰＨＲ（Ｐｏｗｅｒ  Ｈｅａｄｒｏｏｍ  Ｒｅｐｏｒｔ）、ＵＬ同期制御のためのＴＡＧ（Ｔｉｍｉｎｇ  Ａｄｖａｎｃｅ  Ｇｒｏｕｐ）−別ＴＡＣ（Ｔｉｍｉｎｇ  Ａｄｖａｎｃｅ  Ｃｏｍｍａｎｄ）なども、ＣＡセルセット内の如何なるセルでもシグナルすることができる。
【０１０２】
一方、ＬＴＥ−Ａに後続するシステムでは、トラフィック最適化などのために、カバレッジの大きいセル（例、マクロセル）内にカバレッジの小さい複数セル（例、マイクロセル）を配置することができる。例えば、一つの端末に対してマクロセル及びマイクロセルを併合することができ、マクロセルは主に移動性管理用途（例、ＰＣｅｌｌ）に用いられ、マイクロセルは主にスループットブースティング用途（例、ＳＣｅｌｌ）に用いられる状況を考慮することができる。この場合、一つの端末に併合されるセルは、互いに異なるカバレッジを有することができ、各セルは、地理的に離れている異なった基地局（或いは、これに相応するノード（例、リレー））によってそれぞれ管理されてもよい（インター−サイトＣＡ）。
【０１０３】
図１９に、インター−サイトＣＡを例示する。図１９を参照すると、端末に対する無線リソース制御及び管理（例、ＲＲＣ全体及びＭＡＣの一部機能）などは、ＰＣｅｌｌ（例、ＣＣ１）を管理する基地局で担当し、各セル（すなわち、ＣＣ１、ＣＣ２）に対するデータスケジューリング及びフィードバック過程（例、ＰＨＹ全体及びＭＡＣの主要機能）などは、当該セルを管理する各基地局で担当する方式を考慮することができる。このため、インター−サイトＣＡでは、セル間（すなわち、基地局間）情報／データ交換／伝達が要求される。既存シグナリング方式を考慮すると、インター−サイトＣＡにおいてセル間（すなわち、基地局間）情報／データ交換／伝達は、バックホール（Ｂａｃｋｈａｕｌ、ＢＨ）（例、有線Ｘ２インターフェース或いは無線バックホールリンク）を介して行うことができる。しかし、既存方式をそのまま適用すると、基地局間シグナリング過程で発生するレイテンシなどから、セル管理安全性、リソース制御効率性、データ送信適応性などが大きく減少することにつながる。
【０１０４】
一例として、図１９に示すように、一つの端末に併合されたＰＣｅｌｌ（例、ＣＣ１）（グループ）とＳＣｅｌｌ（例、ＣＣ２）（グループ）がそれぞれ基地局−１と基地局−２によって管理されているインター−サイトＣＡ状況を仮定することができる。また、ＰＣｅｌｌを管理する基地局（すなわち、基地局−１）が、当該端末に関連したＲＲＣ機能を管理／担当すると仮定する。このとき、ＳＣｅｌｌに関連したＲＲＭ（Ｒａｄｉｏ  Ｒｅｓｏｕｒｃｅ  Ｍａｎａｇｅｍｅｎｔ）測定（例、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ））報告がＰＣｅｌｌではなくＳＣｅｌｌ（例、ｖｉａ  ＰＵＳＣＨ）を介して送信されるとすれば、基地局−２はＲＲＭ測定報告をＢＨを介して基地局−１に伝達しなければならない。また、ＲＲＭ報告に基づいて、例えば、基地局−１がＳＣｅｌｌをＣＡセルセットから解除させるＲＲＣ再設定命令をＰＣｅｌｌ（例、ｖｉａ  ＰＤＳＣＨ）を介して端末に指示した場合、端末は、ＲＲＣ再設定命令に対するコンファーム応答（ｃｏｎｆｉｒｍａｔｉｏｎ  ｒｅｓｐｏｎｓｅ）を、ＰＣｅｌｌではなくＳＣｅｌｌ（例、ｖｉａ  ＰＵＳＣＨ）を介して送信することができる。この場合、基地局−２はコンファーム応答をさらにＢＨなどを介して基地局−１に伝達しなければならない。このため、インター−サイトＣＡではセル間（すなわち、基地局間）シグナリング過程で相当なレイテンシを伴う。その結果、ＣＡセルセット解釈に関する基地局と端末間の不一致（ｍｉｓａｌｉｇｎｍｅｎｔ）が生じ、安定した／効率的なセルリソース管理及び制御がし難くなりうる。
【０１０５】
他の例として、上記と同様のインター−サイトＣＡ状況で、全てのセルのセル−別ＰＨＲ（Ｐｏｗｅｒ  Ｈｅａｄｒｏｏｍ）がＰＣｅｌｌ（例、ｖｉａ  ＰＵＳＣＨ）を介して送信されてもよい。この場合、（ＰＣｅｌｌを管理する）基地局−１は、全体ＰＨＲ或いはＳＣｅｌｌに該当するＰＨＲをＢＨなどを介して、（ＳＣｅｌｌを管理する）基地局−２に伝達しなければならない。逆に、全てのセルのセル−別ＰＨＲがＳＣｅｌｌを介して送信される場合、基地局−２は、全体ＰＨＲ或いはＰＣｅｌｌに該当するＰＨＲをＢＨなどを介して基地局−１に伝達しなければならない。この場合も、基地局間シグナリングに伴われるレイテンシによって、安定した／効率的なＵＬ電力制御及びこれに基づく適応的なＵＬデータスケジューリング／送信がし難くなりうる。
【０１０６】
このことから、インター−サイトＣＡ状況では、ＤＬ／ＵＬデータスケジューリング及びＵＣＩ（例、ＡＣＫ／ＮＡＣＫ、ＣＳＩ、ＳＲ）送信を、同一基地局に属したセル（グループ）別に行うことができる。例えば、一つの端末に併合されたＰＣｅｌｌとＳＣｅｌｌがそれぞれ基地局−１と基地局−２に属した状況を仮定すると、ＰＣｅｌｌで送信されるＤＬ／ＵＬデータをスケジュールするＤＬ／ＵＬグラント及び当該ＤＬ／ＵＬデータに対するＡＣＫ／ＮＡＣＫフィードバックは、ＰＣｅｌｌで送信され、ＳＣｅｌｌで送信されるＤＬ／ＵＬデータをスケジュールするＤＬ／ＵＬグラント及び当該ＤＬ／ＵＬデータに対するＡＣＫ／ＮＡＣＫフィードバックは、ＳＣｅｌｌで送信されてもよい。また、ＰＣｅｌｌに対する非周期的ＣＳＩ（ａｐｅｒｉｏｄｉｃ  ＣＳＩ、ａ−ＣＳＩ）／周期的ＣＳＩ（ｐｅｒｉｏｄｉｃ  ＣＳＩ、ｐ−ＣＳＩ）報告及びＳＲシグナリングはＰＣｅｌｌでし送信され、ＳＣｅｌｌに対するＣＳＩ報告及びＳＲシグナリングはＳＣｅｌｌで送信されてもよい。そのためには、インター−サイトＣＡ（或いは、これと類似のＣＡ構造）では、既存と違い、複数セルでＰＵＣＣＨ同時送信動作が伴われたり許容されなければならない。しかし、複数セルでＰＵＣＣＨ同時送信を許容すると、端末の状況／条件（例、ハードウェア、位置）などによってＵＬ信号の単一搬送波特性が劣化し、ＵＬ性能の損失につながりうる。
【０１０７】
そこで、本発明では、まず、複数ＰＵＣＣＨの同時送信を許容するか否かを、上位層シグナリング（例、ＲＲＣシグナリング）を用いて設定することを提案する。ここで、複数ＰＵＣＣＨの同時送信は、複数セルで複数ＰＵＣＣＨの同時送信（すなわち、複数のセル−別（Ｐｅｒ−ｃｅｌｌ）ＰＵＣＣＨ同時送信）を含む。便宜上、ＰＵＣＣＨ同時送信の許容を示すパラメータを「ｍｕｌｔｉ−ＰＵＣＣＨ」と定義する。ｍｕｌｔｉ−ＰＵＣＣＨがＯＮに設定された場合、端末は、一つのＵＬサブフレーム内で複数ＰＵＣＣＨの同時送信を行うことができる。一方、ｍｕｌｔｉ−ＰＵＣＣＨがＯＦＦに設定された場合、端末は、一つのＵＬサブフレームで複数ＰＵＣＣＨ送信動作を行うことができない。すなわち、ｍｕｌｔｉ−ＰＵＣＣＨがＯＦＦの場合、一つのＵＬサブフレーム内で複数ＰＵＣＣＨ同時送信が許容されず、一つのＵＬサブフレーム内では（単一セル上で）単一ＰＵＣＣＨ送信のみが許容される。
【０１０８】
一方、（ｉ）互いに異なるセル上で周期的ＣＳＩと周期的／非周期的ＳＲＳの同時送信、（ii）互いに異なるセル上で周期的ＣＳＩと非周期的ＣＳＩの同時送信、（iii ）互いに異なるセル上で複数の非周期的ＣＳＩの同時送信、及び／又は（iv）互いに異なるセル上でＳＲと周期的／非周期的ＳＲＳの同時送信に対しても許容するか否かを上位層シグナリング（例、ＲＲＣシグナリング）を用いて設定することができる。また、互いに異なるセル上でＨＡＲＱ−ＡＣＫと周期的／非周期的ＳＲＳの同時送信に対しても許容するか否かを上位層シグナリング（例、ＲＲＣシグナリング）を用いて設定することができる。
【０１０９】
また、セル或いはセルグループ別にＳＲＳとＵＣＩ（例、Ａ／Ｎ、ＳＲ）の同時送信を許容するか否かを上位層シグナリング（例、ＲＲＣシグナリング）を用いて独立して設定することができる。ＳＲＳとＵＣＩの同時送信が許容される場合、短縮（ｓｈｏｒｔｅｎｅｄ）ＰＵＣＣＨフォーマットを用い、ＳＲＳとＵＣＩの同時送信が許容されない場合、一般（ｎｏｒｍａｌ）ＰＵＣＣＨフォーマットを用いることができる。
【０１１０】
一方、インター−サイトＣＡ状況（或いは、類似のＣＡ構造）でｍｕｌｔｉ−ＰＵＣＣＨ ＯＮ／ＯＦＦ設定を支援するために追加の端末動作／過程が要求されてもよい。例えば、ｍｕｌｔｉ−ＰＵＣＣＨ ＯＦＦでは、セル−別（Ｐｅｒ−Ｃｅｌｌ）ＰＵＣＣＨ送信が互いに異なる時点に行われるように、すなわち、ＴＤＭ方式でセル−別ＰＵＣＣＨが送信されるように設定することができる。この場合、セル−別ＰＵＣＣＨ送信時点の設定によって、セル−別ＵＣＩ送信タイミング（例、ＡＣＫ／ＮＡＣＫ送信タイミング）も変形しなければならない。ここで、セル−別ＵＣＩ送信タイミングは、ＣＡを構成するセルのフレーム構造タイプ（すなわち、ＦＤＤ又はＴＤＤ）、サブフレーム構成形態（例、ＵＤ−ｃｆｇ）などによって異なってくる。以下では、ＡＣＫ／ＮＡＣＫに焦点を合わせて、ＣＡ構成によるＡＣＫ／ＮＡＣＫ送信タイミング設定方法及びＡＣＫ／ＮＡＣＫフィードバック構成／送信方法について提案する。
【０１１１】
発明の理解を助けるために、以下では、一つの端末に２個セルグループが併合された状況を仮定する。例えば、一つの端末にセルグループ１とセルグループ２とが併合された状況を仮定する。ここで、セルグループは一つ以上のセルを含む。このため、セルグループは、一つのセルのみで構成されてもよく、複数のセルで構成されてもよい。ここで、それぞれのセルグループは、互いに異なる基地局に属することができる。具体的に、一つの端末にＰＣｅｌｌグループとＳＣｅｌｌグループが併合され、ＰＣｅｌｌグループは基地局−１（例、マクロ基地局）に属し、ＳＣｅｌｌグループは基地局−２（例、マイクロ基地局）に属するように設定することができる。ここで、ＰＣｅｌｌグループは、ＰＣｅｌｌを含むセルグループを表す。ＰＣｅｌｌグループは、ＰＣｅｌｌ単独で構成されたり、又はＰＣｅｌｌ及び一つ以上のＳＣｅｌｌで構成される。ＳＣｅｌｌグループは、ＳＣｅｌｌのみで構成されたセルグループを表し、一つ以上のＳＣｅｌｌを含む。しかし、これは例示であり、本発明は、一つの端末に３個以上のセルグループ（例、一つのＰＣｅｌｌグループ及び２つ以上のＳＣｅｌｌグループ）が併合された状況にも同一／類似に適用することができる。
【０１１２】
また、本発明は、一つの端末に複数のセルグループが併合され、セルグループ別にＵＣＩ送信が行われる状況（すなわち、各セルグループに対する／対応するＵＣＩが当該セルグループ内特定セルで送信される構造）（或いは、セル−別ＰＵＣＣＨ送信）におけるＡＣＫ／ＮＡＣＫ送信タイミング設定及びＡＣＫ／ＮＡＣＫフィードバック構成／送信方法について提案する。したがって、以下では、互いに異なる基地局に属する複数のセルグループが一つの端末に併合された場合を中心に説明するが、これは例示であり、本発明は、一つの基地局に属する複数のセルグループが一つの端末に併合された場合にも同一／類似に適用することができる。例えば、一つの端末にＰＣｅｌｌグループとＳＣｅｌｌグループが併合された場合、本発明によれば、ＰＣｅｌｌグループにおいてＰＵＣＣＨはＰＣｅｌｌで送信され、ＳＣｅｌｌグループにおいてＰＵＣＣＨは一つの特定ＳＣｅｌｌで送信されるように設定することができる。便宜上、ＳＣｅｌｌグループにおいてＰＵＣＣＨを送信するように設定されたＳＣｅｌｌをＡＣｅｌｌと呼ぶ。ここで、（ｉ）ＰＣｅｌｌグループとＳＣｅｌｌグループは互いに異なる基地局に属したり（例、ＰＣｅｌｌ−マクロ基地局、ＳＣｅｌｌ−マイクロ基地局）、（ii）ＰＣｅｌｌグループとＳＣｅｌｌグループは同じ基地局に属することができる。ＡＣｅｌｌは、一つのセルグループ内で（クロス−ＣＣスケジューリング設定によって）ＰＤＣＣＨ／ＥＰＤＣＣＨを送信するように（すなわち、スケジューリングセルとして）設定されたセルのうち、最も低いセルインデックス（例、ＳｅｒｖＣｅｌｌインデックス又はＳＣｅｌｌインデックス）を有するセルと決定することができる。
【０１１３】
一方、ＡＣｅｌｌを介してＰＵＣＣＨを用いたＡ／Ｎ送信が行われるように設定される場合、ＥＰＤＣＣＨベースのスケジューリングと連動する特定ＰＵＣＣＨパラメータ及びＤＣＩシグナリングなどがＡＣｅｌｌにも提供されなければならない。したがって、ＥＰＤＣＣＨセット（これを構成するＥＣＣＥリソース）にリンクされる暗黙的ＰＵＣＣＨリソースの開始インデックス或いはこれを類推できるＰＵＣＣＨインデックスオフセットを、（ＰＣｅｌｌに構成されるＥＰＤＣＣＨセットに対してのみ設定する既存とは違い）ＡＣｅｌｌに構成されるＥＰＤＣＣＨセットに対しても設定することを提案する。
【０１１４】
また、ＤＬグラントＥＰＤＣＣＨ内の特定フィールド（例、ＴＰＣ／ＡＲＯ）を通じてＡ／Ｎ送信ＰＵＣＣＨリソースの制御／決定に必要な情報（例、ＴＰＣ／ＡＲＯ／ＡＲＩ値）をシグナリングすることを、ＡＣｅｌｌに対応／送信されるＤＬグラントＥＰＤＣＣＨに対しても提供／活性化することを提案する。詳しくは、フレーム構造タイプ（ＦＤＤ又はＴＤＤ）及びＡ／Ｎフィードバック送信方式（ＰＦ３又はＣＨｓｅｌ）によってＤＬグラントＥＰＤＣＣＨ内のＴＰＣ／ＡＲＯフィールドを通じてシグナルされる情報を、セル別に次のように構成することができる。ここで、ＳＣｅｌｌは、ＰＣｅｌｌ及びＡＣｅｌｌ以外の一般ＳＣｅｌｌを意味することができる。
【０１１５】
１）ＦＤＤ  ｗｉｔｈ  ＰＦ３
Ａ．ＴＰＣフィールド
ｉ．ＰＣｅｌｌ或いはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌ或いはＡＣｅｌｌをスケジュールするＤＬグラント：ＡＲＯ値
ii．ＳＣｅｌｌをスケジュールするＤＬグラント：固定値（ｆｉｘｅｄ  ｖａｌｕｅ）
【０１１６】
２）ＦＤＤ  ｗｉｔｈ  ＣＨｓｅｌ
Ａ．ＴＰＣフィールド
ｉ．ＰＣｅｌｌ或いはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌ或いはＡＣｅｌｌを介して送信されるＤＬグラント：ＡＲＯ値
ii．ＳＣｅｌｌを介して送信されるＤＬグラント：固定値
【０１１７】
３）ＴＤＤ  ｗｉｔｈ  ＰＦ３
Ａ．ＴＰＣフィールド
ｉ．ＰＣｅｌｌ或いはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌ或いはＡＣｅｌｌをスケジュールしながらＤＡＩ＝１に対応するＤＬグラント：ＡＲＯ値
ii．ＰＣｅｌｌ或いはＡＣｅｌｌをスケジュールしながらＤＡＩ＝１に対応しないＤＬグラント：ＡＲＩ値
iii ．ＳＣｅｌｌをスケジュールするＤＬグラント：固定値
【０１１８】
４）ＴＤＤ  ｗｉｔｈ  ＣＨｓｅｌ
Ａ．ＴＰＣフィールド
ｉ．ＰＣｅｌｌ或いはＡＣｅｌｌをスケジュールするＤＬグラント：ＴＰＣ値
ii．ＳＣｅｌｌをスケジュールするＤＬグラント：ＡＲＩ値
Ｂ．ＡＲＯフィールド
ｉ．ＰＣｅｌｌ或いはＡＣｅｌｌを介して送信されるＤＬグラント：ＡＲＯ値
ii．ＳＣｅｌｌを介して送信されるＤＬグラント：固定値
【０１１９】
また、任意のセルグループに対するＡ／Ｎフィードバックが特定ＡＣｅｌｌを介して送信されるように設定された場合（このとき、当該セルグループはＡＣｅｌｌを含むことができる）、当該セルグループに対する（すなわち、当該セルグループをスケジュールする及び／又は当該セルグループを介して送信される）全てのＤＬグラントＥＰＤＣＣＨ及び／又は全てのＤＬグラントＰＤＣＣＨを介してシグナルされる（同一のＡ／Ｎ送信時点に適用される）ＡＲＩはいずれも同一の値を有するようにすることができる。すなわち、端末は、全てのＤＬグラントＰＤＣＣＨ内のＡＲＩがいずれも同一の値を有すると仮定したり見なした状態で動作することができる。このとき、ＡＲＩは、セルグループ別に独立した値を有することができる。一例として、（同一のＡ／Ｎ送信時点に対して）ＰＣｅｌｌの属したセルグループに対するＡＲＩとＡＣｅｌｌの属したセルグループに対するＡＲＩは、互いに同一の値を有しても異なる値を有してもよい。また、ＡＣｅｌｌの属したセルグループに対してＰＵＣＣＨフォーマット３を用いたＡＣＫ／ＮＡＣＫフィードバック送信が設定される場合、ＰＵＣＣＨフォーマット３内Ａ／Ｎペイロードは、ＡＣｅｌｌに対応するＡ／ＮビットをＭＳＢ側に配置する方式で構成されてもよい。
【０１２０】
以下、「ＰＵＣＣＨフォーマット３」を用いたＡＣＫ／ＮＡＣＫフィードバック送信方式を「ＰＦ３」と称し、「ＰＵＣＣＨ ｆｏｒｍａｔ１ｂ ｗｉｔｈ ＣＨｓｅｌ」によるＡＣＫ／ＮＡＣＫフィードバック送信方式を「ＣＨｓｅｌ」と称する。また、「ＰＵＣＣＨフォーマット１ａ／１ｂ」を用いたＡＣＫ／ＮＡＣＫフィードバック送信方式を「ＰＦ１」と称する。また、ＰＤＣＣＨは、Ｌ−ＰＤＣＣＨ及びＥＰＤＣＣＨの両方を含む。また、Ａ／Ｎタイミングは、ＤＬデータ（すなわち、ＰＤＳＣＨ又はＳＰＳ ｒｅｌｅａｓｅ ＰＤＣＣＨ）タイミングとこれに対応するＨＡＲＱ−ＡＣＫタイミングの関係を意味する（図１２及び図１３参照）。また、Ａ／Ｎ観点で、スペシャルＳＦもＤＬ ＳＦと同一に見なされてもよいため、Ａ／Ｎ観点でＤＬ ＳＦは、ＤＬ ＳＦ及びスペシャルＳＦの両方を含む。
【０１２１】
以下、複数のセルグループが併合された場合に、ＵＣＩ送信セル（すなわち、ＰＣｅｌｌ、ＡＣｅｌｌ）の組合せ／設定を中心にＡＣＫ／ＮＡＣＫ送信タイミング設定及びＡＣＫ／ＮＡＣＫフィードバック構成／送信方法について説明する。以下の説明でセルはセルグループに拡張されてもよい。
【０１２２】
＜ＦＤＤ＋ＦＤＤ＞
ＦＤＤセルのＣＡ状況でセル間ＴＤＭベースＡ／Ｎ送信方式を考慮すると、次のとおりである。セル１及びセル２を仮定すると、Ｎ個のＵＬ ＳＦ［例、ＳＦ ＃ｋ〜ＳＦ ＃（ｋ＋Ｎ−１）］（以下、Ｆｉｒｓｔ  ｐａｒｔ＿ｕｌ）では、セル１に対応するＡ／Ｎがセル１を介して送信され、次のＭ個のＵＬ ＳＦ［例、ＳＦ ＃（ｋ＋Ｎ）〜ＳＦ ＃（ｋ＋Ｎ＋Ｍ−１）］（以下、Ｓｅｃｏｎｄ ｐａｒｔ＿ｕｌ）では、セル２に対応するＡ／Ｎがセル２を介して送信されるように設定することができる（Ｎ≧１、Ｍ≧１）。ＮとＭは、最大Ａ／Ｎペイロードサイズを適切に制限し／したり、Ａ／Ｎフィードバック送信に用いられないＳＦを最小化するために、ｄF（例、４）以下の値に設定することができ、好ましくは、ｄF以下の同一値（例、Ｎ＝Ｍ≦ｄＦ）に設定することができる。
【０１２３】
このとき、ＳＦ ＃ｋ〜ＳＦ ＃（ｋ＋Ｎ−１）（すなわち、Ｆｉｒｓｔ ｐａｒｔ＿ｕｌ）では、セル１を介してセル１に対応するＡ／Ｎ送信のみが許容されることから、セル２においてＦｉｒｓｔ ｐａｒｔ＿ｕｌに対応するＤＬ ＳＦ［すなわち、ＳＦ ＃（ｋ−ｄF）〜ＳＦ ＃（ｋ＋Ｎ−１−ｄF）］（以下、Ｆｉｒｓｔ ｐａｒｔ＿ｄｌ］におけるＤＬデータスケジューリング及びこれに対応するＡ／Ｎに対する処理動作が必要である。同様に、セル１ではＳｅｃｏｎｄ ｐａｒｔ＿ｕｌに対応するＤＬ ＳＦ［すなわち、ＳＦ ＃（ｋ＋Ｎ−ｄF）〜ＳＦ ＃（ｋ＋Ｎ＋Ｍ−１−ｄF）］（以下、Ｓｅｃｏｎｄ ｐａｒｔ＿ｄｌ）におけるＤＬデータスケジューリング及びこれに対応するＡ／Ｎに対する処理動作が必要である。ここで、ｄFは、ＦＤＤ Ａ／Ｎタイミングを表す（例ｄF＝４）。
【０１２４】
次の３つの方法を考慮することができる。上記のように、Ｆｉｒｓｔ ｐａｒｔ＿ｕｌとＳｅｃｏｎｄ ｐａｒｔ＿ｕｌが構成されたと仮定する。さらに、Ｓｅｃｏｎｄ ｐａｒｔ＿ｄｌの最初のＤＬ ＳＦ［すなわち、ＳＦ ＃（ｋ＋Ｎ−ｄF）］を「Ｌａｓｔ ＳＦ」と定義する。また、Ｆｉｒｓｔ ｐａｒｔ＿ｄｌ＋Ｌａｓｔ ＳＦ［すなわち、ＳＦ ＃（ｋ−ｄF）〜ＳＦ ＃（ｋ＋Ｎ−ｄF）］を「Ｅｎｔｉｒｅ ｄｕｒａｔｉｏｎ」と定義する。ここで、Ｆｉｒｓｔ ｐａｒｔ＿ｕｌとＳｅｃｏｎｄ ｐａｒｔ＿ｕｌはそれぞれ、複数の連続するＳＦで構成された場合を例示しているが、それらは複数の不連続するＳＦで構成されてもよい。
【０１２５】
Ａ．  Ｓｏｌ １：ｎｏ ＤＬデータスケジューリング
端末は、Ｆｉｒｓｔ ｐａｒｔ＿ｄｌ［すなわち、ＤＬ ＳＦ ＃（ｋ−ｄF）〜ＤＬ ＳＦ ＃（ｋ＋Ｎ−１−ｄF）］では、セル２に対するＤＬデータスケジューリング／送信が許容されないか又はないと見なした状態で動作することができる。例えば、端末は、ＤＬ ＳＦ ＃（ｋ−ｄF）〜ＤＬ ＳＦ ＃（ｋ＋Ｎ−１−ｄF）では、セル２のＤＬデータをスケジュールするＤＬ ＤＣＩフォーマットを運ぶＰＤＣＣＨに対するモニタリング（例、ブラインドデコーディング）を行わないか、又はＤＬ ＤＣＩフォーマットを運ぶＰＤＣＣＨが検出されても無視することができる（ＰＤＳＣＨデコーディング過程を行わない）。一方、端末は、ＵＬ ＤＣＩフォーマットに対しては正常に動作（例、ＰＤＣＣＨモニタリング及びＰＵＳＣＨ送信）を行うことができる。このため、セル２では、Ｆｉｒｓｔ ｐａｒｔ＿ｄｌに対応するＡ／Ｎフィードバック及びタイミングが定義／設定されなくてもよい。したがって、Ｓｅｃｏｎｄ ｐａｒｔ＿ｕｌ［すなわち、ＵＬ ＳＦ ＃（ｋ＋Ｎ）〜ＵＬ ＳＦ ＃（ｋ＋Ｎ＋Ｍ−１）］では、Ｓｅｃｏｎｄ ｐａｒｔ＿ｄｌ［すなわち、ＤＬ ＳＦ ＃（ｋ＋Ｎ−ｄF）〜ＤＬ ＳＦ ＃（ｋ＋Ｎ＋Ｍ−１−ｄF）］でセル２を介して受信したＤＬデータに対応するＡ／Ｎのみを、セル２を介してＦＤＤ Ａ／Ｎタイミングベースでそれぞれ送信することができる。
【０１２６】
Ｂ．  Ｓｏｌ ２：ＳＦ−ベースＰＦ３／ＣＨｓｅｌ
端末は、Ｆｉｒｓｔ ｐａｒｔ＿ｄｌ＋Ｌａｓｔ ＳＦ［すなわち、ＳＦ ＃（ｋ−ｄF）〜ＳＦ ＃（ｋ＋Ｎ−１−ｄF）＋ＳＦ ＃（ｋ＋Ｎ−ｄF）］でセル２を介して受信したＤＬデータに対応するＡ／Ｎに対して、複数ＳＦベースのＰＦ３或いはＣＨｓｅｌ方式を適用することができる。ここで、複数ＳＦベースのＰＦ３或いはＣＨｓｅｌ方式は、複数のＳＦで受信したＤＬデータに対する複数のＡ／Ｎ情報をＰＦ３を用いて送信したり、ＣＨｓｅｌを用いて送信することを意味する。最終的に、Ｆｉｒｓｔ ｐａｒｔ＿ｄｌ＋Ｌａｓｔ ＳＦに対応する複数のＡ／Ｎ情報を、ＰＦ３／ＣＨｓｅｌ方式に基づいてＳｅｃｏｎｄ ｐａｒｔ＿ｕｌの最初のＵＬ ＳＦ［すなわち、ＵＬ ＳＦ ＃（ｋ＋Ｎ）］でセル２を介して送信することができる。
【０１２７】
まず、ＰＦ３適用時に、Ｌａｓｔ ＳＦでのみＤＬデータを受信した場合には、当該ＤＬデータをスケジューリングあるＤＬグラントＰＤＣＣＨにリンクされた暗黙的ＰＦ１リソースを用いて、当該ＤＬデータに対応するＡ／Ｎのみを送信することができる（すなわち、シングルＡ／Ｎフォールバック）。一方、Ｆｉｒｓｔ ｐａｒｔ＿ｄｌを介してＤＬデータを受信した場合には、当該ＤＬデータをスケジュールするＤＬグラントＰＤＣＣＨで指示されるＰＦ３リソースを用いて、全体Ｅｎｔｉｒｅ ｄｕｒａｔｉｏｎに対応するＡ／Ｎフィードバックを送信することができる。この場合、Ｌａｓｔ ＳＦをスケジュールするＤＬグラントＰＤＣＣＨでは、ＰＵＣＣＨ電力制御のためのＴＰＣコマンドがシグナルされ、Ｆｉｒｓｔ ｐａｒｔ＿ｄｌをスケジュールするＤＬグラントＰＤＣＣＨでは、ＰＦ３リソースを示すＡＲＩ値をシグナルすることができる。Ｆｉｒｓｔ ｐａｒｔ＿ｄｌをスケジュールするＤＬグラントＰＤＣＣＨが複数である場合、ＡＲＩ値をいずれも同一に設定することができる。ＰＦ３内Ａ／Ｎビット配置は、ＳＦ順序（例、早い或いは遅いＳＦに対応するＡ／ＮビットをＭＳＢ側に配置）に従うことができる。仮に、セル２が、複数のセルで構成されたセルグループのうちの特定セル（例、ＰＣｅｌｌ又はＡＣｅｌｌ）である場合、Ｆｉｒｓｔ ｐａｒｔ＿ｄｌ＋Ｌａｓｔ ＳＦ区間中にセル２のＬａｓｔ ＳＦでのみ一つのＤＬデータが検出されると、当該ＤＬデータをスケジュールするＤＬグラントＰＤＣＣＨにリンクされた暗黙的ＰＦ１リソースを用いて、当該ＤＬデータに対応するＡ／Ｎのみを送信することができる。その他の場合、上記のようにＰＦ３を用いてＡ／Ｎを送信することができる。これによって、セル２（例、ＰＣｅｌｌ又はＡＣｅｌｌ）の属したセルグループ内の他のセルの場合は、Ｆｉｒｓｔ ｐａｒｔ＿ｄｌとＬａｓｔ ＳＦをスケジュールする全てのＤＬグラントＰＤＣＣＨで、ＰＦ３リソースを指示するＡＲＩ値をシグナルすることができる。
【０１２８】
次に、ＣＨｓｅｌ適用時に、Ｌａｓｔ ＳＦに対応するＰＵＣＣＨリソースとしては、当該ＳＦをスケジュールするＤＬグラントＰＤＣＣＨにリンクされた暗黙的ＰＦ１リソースを割り当てることができる。Ｆｉｒｓｔ ｐａｒｔ＿ｄｌに対応するＰＵＣＣＨリソースとしては、ＲＲＣシグナリングを通じて予約された明示的ＰＦ１リソースを割り当てることができる。この場合、Ｌａｓｔ ＳＦをスケジュールするＤＬグラントＰＤＣＣＨではＰＵＣＣＨ電力制御のためのＴＰＣコマンドをシグナルし、Ｆｉｒｓｔ ｐａｒｔ＿ｄｌをスケジュールするＤＬグラントＰＤＣＣＨでは明示的ＰＦ１リソースを指示するＡＲＩ値をシグナルすることができる。Ａ／Ｎ状態（ｓｔａｔｅ）内Ａ／Ｎ応答配置は、ＳＦ順序（例、早い或いは遅いＳＦに対応するＡ／Ｎ応答をＭＳＢ側に配置）に従うことができる。
【０１２９】
Ｃ．  Ｓｏｌ ３：ＳＦ及び／又はＣＷバンドリング
Ｅｎｔｉｒｅ ｄｕｒａｔｉｏｎ［すなわち、ＳＦ ＃（ｋ−ｄF）〜ＳＦ ＃（ｋ＋Ｎ−ｄF）］でセル２を介して受信されたＤＬデータに対応するＡ／Ｎに対してＳＦバンドリング及び／又はＣＷバンドリングを適用することができる。ここで、ＳＦバンドリングは、各ＤＬ ＣＣにおいて全ての或いは一部のＤＬサブフレームに対してＡ／Ｎバンドリングを適用することを意味する。ＣＷバンドリングは、各ＤＬ ＳＦにおいてＤＬ ＣＣ別にＡ／Ｎバンドリングを適用することを意味する。Ａ／Ｎバンドリングは、Ａ／Ｎ結果の論理−ＡＮＤ演算を意味する。最終的に、ＵＬ ＳＦ ＃（ｋ＋Ｎ）でバンドリングベースＡ／Ｎフィードバックをセル２を介して送信することができる。バンドリングされたＡ／Ｎフィードバックは、Ｅｎｔｉｒｅ ｄｕｒａｔｉｏｎ内最後に受信されたＤＬデータをスケジュールするＤＬグラントＰＤＣＣＨにリンクされた暗黙的ＰＦ１リソースや、ＲＲＣシグナリングで予約された明示的ＰＦ１リソースを用いて送信することができる。そのために、Ｅｎｔｉｒｅ ｄｕｒａｔｉｏｎをスケジュールするＤＬグラントＰＤＣＣＨでは、スケジュールされたＤＬデータ（或いは、ＤＬグラント）の時間順序（或いは、累積値）を知らせるＤＡＩ及び／又は明示的ＰＦ１リソースを指示するＡＲＩ値をシグナルすることができる。
【０１３０】
図２０には、Ｓｏｌ ２〜３によるＡ／Ｎ送信方法を例示する。理解を助けるために、ｄF＝０と仮定した。ＳＦインデックスがＳＦ ＃０〜ＳＦ ＃９と与えられるとすれば、Ｆｉｒｓｔ ｐａｒｔ＿ｄｌ＝［ＳＦ ＃０，ＳＦ ＃１，ＳＦ ＃３，ＳＦ ＃６，ＳＦ ＃７，ＳＦ ＃９］であり、Ｓｅｃｏｎｄ ｐａｒｔ＿ｄｌ＝［ＳＦ ＃２，ＳＦ ＃４，ＳＦ ＃５，ＳＦ ＃８］である。セル１の場合、Ｌａｓｔ ＳＦ＝［ＳＦ ＃３，ＳＦ ＃６，ＳＦ ＃９］であり、セル２の場合、Ｌａｓｔ ＳＦ＝［ＳＦ ＃２，ＳＦ ＃４，ＳＦ ＃８］である。このため、セル１の場合、Ｅｎｔｉｒｅ ｄｕｒａｔｉｏｎ＝［｛ＳＦ ＃２，ＳＦ ＃３｝、｛ＳＦ ＃４，ＳＦ ＃５，ＳＦ ＃６｝、｛ＳＦ ＃８，ＳＦ ＃９｝］であり、セル２の場合、Ｅｎｔｉｒｅ ｄｕｒａｔｉｏｎ＝［｛ＳＦ ＃０，ＳＦ ＃１，ＳＦ ＃２｝、｛ＳＦ ＃３，ＳＦ ＃４｝、｛ＳＦ ＃６，ＳＦ ＃７，ＳＦ ＃８｝］である（点線で表す円）。この場合、各セルでＥｎｔｉｒｅ ｄｕｒａｔｉｏｎに対応するＡ／Ｎは、Ｌａｓｔ ＳＦに対応するＵＬ ＳＦ（すなわち、Ｌａｓｔ ＳＦ＋ｄF）においてＰＦ３、ＣＨｓｅｌ、バンドリングなどを用いて送信することができる。
【０１３１】
一方、一つの端末に併合される複数のセルにおいてＵＬ送信に適用されるＴＡ（Ｔｉｍｉｎｇ  Ａｄｖａｎｃｅ）値（すなわち、ＤＬ無線フレームに対するＵＬ無線フレームのＵＬ送信タイミング）がセル間に互いに異なるように設定されてもよい。この場合、セル間のＴＡ差によって、隣接したＵＬ ＳＦに設定された互いに異なるセルのＡ／Ｎ送信信号（例、ＰＵＣＣＨ）が同一時点に衝突することがある。また、ＵＬに対するＣＡ能力／動作が支援／許容されない端末（すなわち、ＵＬノン−ＣＡ端末）を考慮すると、セル間ＴＤＭベースのＡ／Ｎ（ＰＵＣＣＨ）送信方法を適用するために、隣接ＵＬ ＳＦ間にＵＬ動作周波数を動的にスイッチングしなければならない。この場合、ＵＬスイッチング時間によって、隣接ＵＬ ＳＦに設定された互いに異なるセルのＡ／Ｎ送信信号（例、ＰＵＣＣＨ）が同一時点に衝突することもある。したがって、ＵＬ信号の単一搬送波特性を維持するために、隣接して設定される互いに異なるセルのＡ／Ｎ送信ＳＦタイミング間にＳＦギャップをおくことを提案する。ここで、ＳＦギャップは、ＵＬ送信が制限されるＳＦを意味する。例えば、ＳＦギャップでは、ＵＣＩ（例、Ａ／Ｎ）、ＰＵＣＣＨ、ＰＵＳＣＨ、ＳＲＳ及びＰＲＡＣＨのうち少なくとも一つの送信が実行／定義されなくてもよい。一具現例として、ＳＦギャップは、ＵＣＩ（例、Ａ／Ｎ）及び／又はＰＵＣＣＨ送信が実行／定義されないＳＦと指定／設定されてもよく、（ＵＬノン−ＣＡ端末の場合）ＵＬデータ及び／又はＰＵＳＣＨのスケジューリング／送信が実行／定義されないＳＦと指定／設定されてもよい。
【０１３２】
例えば、セル１及びセル２を仮定すると、Ｎ個のＵＬ ＳＦ［例、ＳＦ ＃ｋ〜ＳＦ ＃（ｋ＋Ｎ−１）］（Ｆｉｒｓｔ ｐａｒｔ＿ｕｌ）では、セル１に対応するＡ／Ｎフィードバックをセル１を介して送信し、その次の１個のＵＬ ＳＦ［例、ＳＦ ＃（ｋ＋Ｎ）］はＳＦギャップに設定し、その次のＭ個のＵＬ ＳＦ［例、ＳＦ ＃（ｋ＋Ｎ＋１）〜ＳＦ ＃（ｋ＋Ｎ＋Ｍ）］（Ｓｅｃｏｎｄ ｐａｒｔ＿ｕｌ）では、セル２に対応するＡ／Ｎフィードバックをセル２を介して送信し、その次の１個のＵＬ ＳＦ［例、ＳＦ ＃（ｋ＋Ｎ＋Ｍ＋１）］を再びＳＦギャップに設定することができる。これによって、Ａ／Ｎタイミング観点で、ＳＦギャップに対応するＤＬ ＳＦをＦｉｒｓｔ ｐａｒｔ＿ｄｌ又はＳｅｃｏｎｄ ｐａｒｔ＿ｄｌを構成する最後のＳＦとして追加した状態で、上記の提案方法（Ｓｏｌ １〜３）を適用することができる。上記の例で、ＤＬ ＳＦ ＃（ｋ＋Ｎ−ｄF）はＦｉｒｓｔ ｐａｒｔ−ｄｌに追加し、ＤＬ ＳＦ ＃（ｋ＋Ｎ＋Ｍ＋１−ｄF））はＳｅｃｏｎｄ ｐａｒｔ−ｄｌに追加することができる。
【０１３３】
一方、前述したＳＦギャップベース方式は、ＦＤＤセル及びＴＤＤセルが併合された場合に、ＦＤＤセルに対して同一／類似に適用することができる。
【０１３４】
＜ＦＤＤ＋ＴＤＤ＞
ＦＤＤセル及びＴＤＤセルが併合された場合に、セル間ＴＤＭベースＡ／Ｎ送信のために次の２つの方式を提案する。
【０１３５】
Ａ．  Ａｌｔ １−１：ｋｅｅｐｉｎｇ  ｏｒｉｇｉｎａｌ  ｔｉｍｉｎｇ  ｆｏｒ  ＴＤＤ  ｃｅｌｌ
ＴＤＤセルの場合、自身のＵＤ−ｃｆｇに定義されたＡ／Ｎタイミングをそのまま適用してＡ／Ｎフィードバック構成／送信を行うことができる。一方、ＦＤＤセルの場合、ＴＤＤセルにおいてＡ／Ｎ送信ＳＦとして設定されたＳＦ区間を、ＦＤＤセルにおいてＡ／Ｎ送信ＳＦとして設定されていないＳＦ区間、すなわち、Ｆｉｒｓｔ ｐａｒｔ＿ｕｌと見なしてＳｏｌ １〜３方法を適用することができる。本例の場合、ＴＤＤセルの本来のＡ／Ｎタイミングをそのまま維持することによって、ＴＤＤセルに対するＡ／Ｎフィードバックディレー／サイズの増加を避けることができる。図２１に、本方式によるＡ／Ｎ送信方法を例示する。図２１を参照すると、ＴＤＤセルには、ＳＩＢ−ｃｆｇによるＡ／Ｎタイミングが適用され、ＦＤＤセルには、ＴＤＤセルのＵＬ ＳＦ区間をＦｉｒｓｔ ｐａｒｔ＿ｕｌと見なした状態でＳｏｌ ２が適用される。
【０１３６】
一方、既存のＣＡ状況（例、一つの端末に併合されたセルが同一基地局に属する場合）を考慮すると、ＴＤＤセルは、自身のＵＤ−ｃｆｇに定義されたＡ／Ｎタイミングを適用し、ＦＤＤセルもＦＤＤ Ａ／ＮディレーｄＦに基づく本来のＡ／Ｎタイミングをそのまま適用することができる。この場合、全ての（ＦＤＤ及び／又はＴＤＤ）セルに対するＡ／Ｎを、ＴＤＤセルのＡ／Ｎ送信タイミングと指定されたＳＦではＴＤＤセルを介して送信し、残りのＳＦ（すなわち、ＴＤＤセルのＡ／Ｎ送信タイミングではないＳＦ）ではＦＤＤセルを介して送信する方式を考慮することができる。一例として、一つのＴＤＤセルと一つのＦＤＤセル間ＣＡを仮定すると、ＴＤＤセルのＡ／Ｎ送信タイミングと指定されたＳＦでは、ＦＤＤセル、ＴＤＤセルの両方に対するＡ／ＮをＴＤＤセルを介して送信し、残りのＳＦ（すなわち、ＴＤＤセルのＡ／Ｎ送信タイミングではないＳＦ）では、ＦＤＤセルに対するＡ／ＮのみをＦＤＤセルを介して送信することができる。
【０１３７】
Ｂ．  Ａｌｔ １−２：ａｐｐｌｙｉｎｇ  ＤＬ  ｓｕｐｅｒｓｅｔ−ｃｆｇ  ｆｏｒ  ＴＤＤ  ｃｅｌｌ
本方式は、Ａｌｔ１−１においてＦＤＤセルに発生するＦｉｒｓｔ ｐａｒｔ＿ｕｌのサイズ／頻度数を減らすことによって、ＦＤＤセルに対するＡ／Ｎフィードバックディレー／サイズを緩和する方式である。本方式によれば、ＴＤＤセルの場合、ＤＬ ｓｕｐｅｒｓｅｔ−ｃｆｇに定義されたＡ／Ｎタイミングを適用してＡ／Ｎフィードバック構成／送信を行うことができる。ここで、ＤＬ ｓｕｐｅｒｓｅｔ−ｃｆｇは、ＳＩＢ−ｃｆｇを構成するＤＬ ＳＦのスーパーセット（ｓｕｐｅｒｓｅｔ）に対してＤＬ ＳＦが設定されたＵＤ−ｃｆｇ（すなわち、ＳＩＢ−ｃｆｇのＤＬ ＳＦを含むとともに、ＳＩＢ−ｃｆｇよりも多数のＤＬ ＳＦが設定されたＵＤ−ｃｆｇ）を意味する（表１参照）。ＤＬ ｓｕｐｅｒｓｅｔ−ｃｆｇは、ＵＬ ｓｕｂｓｅｔ−ｃｆｇと等価である。ＵＬ ｓｕｂｓｅｔ−ｃｆｇは、ＳＩＢ−ｃｆｇを構成するＵＬ ＳＦのサブセットに対してＵＬ ＳＦが設定されたＵＤ−ｃｆｇ（すなわち、ＳＩＢ−ｃｆｇのＵＬ ＳＦに含まれるとともに、ＳＩＢ−ｃｆｇよりも少ない数のＵＬ ＳＦが設定されたＵＤ−ｃｆｇ）を意味する。一方、ＦＤＤセルの場合、ＤＬ ｓｕｐｅｒｓｅｔ−ｃｆｇにおいてＡ／Ｎ送信ＳＦと設定されたＳＦ区間をＦｉｒｓｔ ｐａｒｔ＿ｕｌと見なしてＳｏｌ １〜３方法を適用することができる。
【０１３８】
図２２に、本方式によるＡ／Ｎ送信方法を例示する。図２２を参照すると、ＴＤＤセルにはＤＬ ｓｕｐｅｒｓｅｔ−ｃｆｇによるＡ／Ｎタイミングが適用され、ＦＤＤセルにはＤＬ ｓｕｐｅｒｓｅｔ−ｃｆｇによるＵＬ ＳＦ区間をＦｉｒｓｔ ｐａｒｔ＿ｕｌと見なした状態でＳｏｌ ２が適用される。具体的に、ＴＤＤセルのＳＩＢ−ｃｆｇがＵＤ−ｃｆｇ ＃１である場合を考慮すると、ＴＤＤセルの場合、ＵＤ−ｃｆｇ ＃１のＤＬ ｓｕｐｅｒｓｅｔ−ｃｆｇであるＵＤ−ｃｆｇ ＃２、＃４、＃５のうちの一つに定義されたＡ／Ｎタイミングを適用してＡ／Ｎフィードバック構成／送信を行うことができる。仮に、ＤＬ ｓｕｐｅｒｓｅｔ−ｃｆｇがＵＤ−ｃｆｇ ＃２として設定されると、ＦＤＤセルの場合、ＵＤ−ｃｆｇ ＃２においてＡ／Ｎ送信ＳＦとして設定されたＳＦ ＃２とＳＦ ＃７をそれぞれＦｉｒｓｔ ｐａｒｔ＿ｕｌと見なしてＳｏｌ １〜３方法を適用することができる。一方、Ａｌｔ１−２に基づいてＴＤＤセルにＡ／Ｎタイミングを適用する場合、ＴＤＤセルのＤＬ ＳＦ（すなわち、ＳＩＢ−ｃｆｇ内ＤＬ ＳＦ（及びＳ ＳＦ））に対してのみＤＬ ｓｕｐｅｒｓｅｔ−ｃｆｇのＡ／Ｎタイミングを適用し（及びＤＬデータ検出／受信動作を行い）且つ対応するＡ／Ｎ信号／ビットを構成するように定義／設定することができる。言い換えると、ＴＤＤセルのＵＬ ＳＦ（すなわち、ＳＩＢ−ｃｆｇ内ＵＬ ＳＦ）に対してはＤＬ ｓｕｐｅｒｓｅｔ−ｃｆｇのＡ／Ｎタイミング（及びＤＬデータ検出／受信動作）及び対応するＡ／Ｎ信号／ビット構成が設定／適用されなくてもよい。例えば、ＴＤＤセルの場合、サブフレーム＃ｎ−ｋでＤＬデータが検出された場合、サブフレーム＃ｎでＡ／Ｎを送信することができる（ｋ⊂Ｋｃ）。ここで、Ｋｃは、ｋsp⊂Ｋspの値を含むが、サブフレーム＃ｎ−ｋspが実際にＴＤＤセルでＤＬ ＳＦ又はＳ ＳＦに対応するｋsp値のみを含む。Ｋspは、ＤＬ ｓｕｐｅｒｓｅｔ−ｃｆｇのＤＡＳＩ値を表す（表３参照）。
【０１３９】
一方、ＤＬ ｓｕｐｅｒｓｅｔ−ｃｆｇに定義されたＡ／ＮタイミングとＴＤＤセルのＳＩＢ−ｃｆｇに定義されたＡ／Ｎタイミングとが異なることがある。このため、ＳＩＢ−ｃｆｇのＡ／Ｎタイミングに基づく暗黙的ＰＦ１リンケージ（すなわち、ＤＬ ＳＦにリンクされた暗黙的ＰＦ１リソースインデックス）をそのまま適用できないことがある。このような問題を解決するために、ＣＨｓｅｌには、ＲＲＣシグナリングを通じて予約された明示的ＰＦ１リソースのみを用いることができる。また、Ａ／Ｎ送信のためにＰＦ３が設定された場合、シングルＡ／Ｎフォールバックに対応するＤＬデータ（すなわち、ＤＡＩ初期値（例、１）を有するＰＤＣＣＨに対応するデータ、又はＤＡＩ初期値（例、１）を有するＳＰＳ解除ＰＤＣＣＨ）のみを受信した場合、Ａ／Ｎ送信のために、ＲＲＣシグナリングで予約された明示的ＰＦ１リソースを用いることができる。また、Ａ／Ｎ送信のためにＣＨｓｅｌが設定された場合、全てのＤＬグラントＰＤＣＣＨを介して、明示的ＰＦ１リソースを指示するＡＲＩをシグナルすることができる。また、Ａ／Ｎ送信のためにＰＦ３が設定された場合、ＤＡＩ初期値（例、１）を有するＤＬグラントＰＤＣＣＨを介して、明示的ＰＦ１リソースを指示するＡＲＩをシグナルすることができる。
【０１４０】
＜Ｓａｍｅ  ＴＤＤ  ＵＤ−ｃｆｇ＞
同一のＵＤ−ｃｆｇを有するＴＤＤセルが併合された状況で、セル間ＴＤＭベースＡ／Ｎ送信のために次の方式を提案する。セル１及びセル２を仮定すると、セル１の場合、Ａｌｔ１−２方式に基づいてセル１のＳＩＢ−ｃｆｇに対するＤＬ ｓｕｐｅｒｓｅｔ−ｃｆｇ１に定義されたＡ／Ｎタイミングをそのまま適用してＡ／Ｎフィードバック構成／送信を行うことができる。一方、セル２の場合、セル２のＳＩＢ−ｃｆｇに対するＤＬ ｓｕｐｅｒｓｅｔ−ｃｆｇ２に定義されたＡ／Ｎタイミングに基づいてＡ／Ｎフィードバック構成／送信を行うことができる。ＤＬ ｓｕｐｅｒｓｅｔ−ｃｆｇ２のＵＬ ＳＦタイミングは、セル１とセル２のＡ／Ｎ送信時点が互いに異なるように（サイクリック）ＳＦ−シフトされてもよい。便宜上、ＵＬ ＳＦタイミングがＳＦ−シフトされたＤＬ ｓｕｐｅｒｓｅｔ−ｃｆｇを、ＳＦ−ｓｈｉｆｔｅｄ ＤＬ ｓｕｐｅｒｓｅｔ−ｃｆｇと称する。
【０１４１】
ここで、ＤＬ ｓｕｐｅｒｓｅｔ−ｃｆｇ １とＤＬ ｓｕｐｅｒｓｅｔ−ｃｆｇ ２は互いに同一に或いは異なるように設定することができる。好ましくは、ＤＬ ｓｕｐｅｒｓｅｔ−ｃｆｇ １及びＳＦ−ｓｈｉｆｔｅｄ ＤＬ ｓｕｐｅｒｓｅｔ−ｃｆｇ ２に基づいて決定されるＵＬ ＳＦタイミング（すなわち、Ａ／Ｎ送信時点）が互いに異なるようにセル別ＤＬ ｓｕｐｅｒｓｅｔ−ｃｆｇを設定することができる。一例として、ＳＩＢ−ｃｆｇがＵＤ−ｃｆｇ ＃１である場合、ＤＬ ｓｕｐｅｒｓｅｔ−ｃｆｇはＵＤ−ｃｆｇ ＃２、＃４、＃５である。この場合、次の組合せが可能である。
【０１４２】
−  ［ＤＬ ｓｕｐｅｒｓｅｔ−ｃｆｇ １＝ＵＤ−ｃｆｇ ＃２、ＤＬ ｓｕｐｅｒｓｅｔ−ｃｆｇ ２＝＃２又は＃５］、
【０１４３】
−  ［ＤＬ ｓｕｐｅｒｓｅｔ−ｃｆｇ １＝ＵＤ−ｃｆｇ ＃４、ＤＬ ｓｕｐｅｒｓｅｔ−ｃｆｇ ２＝＃４又は＃５］、
【０１４４】
−  ［ＤＬ ｓｕｐｅｒｓｅｔ−ｃｆｇ １＝ＵＤ−ｃｆｇ ＃５、ＤＬ ｓｕｐｅｒｓｅｔ−ｃｆｇ ２＝＃２又は＃４又は＃５］。
【０１４５】
他の例として、ＳＩＢ−ｃｆｇがＵＤ−ｃｆｇ ＃３である場合、ＤＬ ｓｕｐｅｒｓｅｔ−ｃｆｇは、ＵＤ−ｃｆｇ ＃４、＃５である。この場合、次の組合せが可能である。
【０１４６】
−  ［ＤＬ ｓｕｐｅｒｓｅｔ−ｃｆｇ １＝ＵＤ−ｃｆｇ ＃４、ＤＬ ｓｕｐｅｒｓｅｔ−ｃｆｇ ２＝＃５］、
【０１４７】
−  ［ＤＬ ｓｕｐｅｒｓｅｔ−ｃｆｇ １＝ＵＤ−ｃｆｇ ＃５、ＤＬ ｓｕｐｅｒｓｅｔ−ｃｆｇ ２＝＃４又は＃５］。
【０１４８】
ＳＦ−ｓｈｉｆｔｅｄ ＤＬ ｓｕｐｅｒｓｅｔ−ｃｆｇ適用方式についてより具体的に説明すると、次のとおりである。２個のセルのＳＩＢ−ｃｆｇがいずれもＵＤ−ｃｆｇ ＃１と与えられたとする。このとき、セル１の場合、ＵＤ−ｃｆｇ ＃１に対するＤＬ ｓｕｐｅｒｓｅｔ−ｃｆｇ １であるＵＤ−ｃｆｇ ＃２に定義されたＡ／Ｎタイミングをそのまま適用してＡ／Ｎフィードバック構成／送信を行うことができる（すなわち、ＳＦ ＃２及びＳＦ ＃７がセル１におけるＡ／Ｎ送信ＳＦとして設定される）。一方、セル２の場合、ＤＬ ｓｕｐｅｒｓｅｔ−ｃｆｇ ２であるＵＤ−ｃｆｇ ＃２においてＵＬ ＳＦタイミングが右側に１ ＳＦ−シフトされた形態に基づいてＡ／Ｎタイミング適用、Ａ／Ｎフィードバック構成／送信を行うことができる。この場合、セル２では、ＳＦ ＃２及びＳＦ ＃７ではなく他のＳＦ（すなわち、ＳＦ ＃３及びＳＦ ＃８）をＡ／Ｎ送信ＳＦとして設定することができる。
【０１４９】
一方、ＳＦ−ｓｈｉｆｔｅｄ ＤＬ ｓｕｐｅｒｓｅｔ−ｃｆｇ適用時に、Ａ／Ｎタイミングを決定するＤＡＳＩは、次の２つの方法で決定することができる。
【０１５０】
Ａ．  Ｏｐｔ １：ｋｅｅｐｉｎｇ  ｏｒｉｇｉｎａｌ  ＤＡＳＩ
ＳＦ−シフト適用前の（表３ベースの）本来ＤＡＳＩを、ＳＦ−シフトされたＵＬ ＳＦにそのまま適用する方法である。一例として、（ｋ個のＳＦだけ）ＳＦ−シフト適用前のＵＬ ＳＦ ＃ｎに対応するＤＡＳＩを、ＳＦ−シフトされたＵＬ ＳＦ ＃（ｎ＋ｋ）にそのまま適用することができる。上記の例で、セル１の場合、ＵＤ−ｃｆｇ ＃２のＳＦ ＃２に定義されたＤＡＳＩ値をＳＦ ＃２に適用して、セル２の場合ＵＤ−ｃｆｇ ＃２のＳＦ ＃２に定義されたＤＡＳＩ値をＳＦ ＃３に適用することができる。図２３に、本方式によるＡ／Ｎ送信方法を例示する。
【０１５１】
Ｂ．  Ｏｐｔ ２：ａｐｐｌｙｉｎｇ  ＳＦ−ｓｈｉｆｔｅｄ  ＤＡＳＩ
（表３ベースの）本来ＤＡＳＩに、シフトされるＳＦ数（ｋ（ＳＦ））を加えた値を、シフトされたＵＬ ＳＦに適用する方法である。一例として、ＳＦ−シフト適用前のＵＬ ＳＦ ＃ｎに対応するＤＡＳＩにｋを加えた値を、ＳＦ−シフトされたＵＬ ＳＦ ＃（ｎ＋ｋ）に適用することができる。上記の例で、セル１の場合、ＵＤ−ｃｆｇ ＃２のＳＦ ＃２に定義されたＤＡＳＩ値をＳＦ ＃２に適用することができる。一方、セル２の場合、ＵＤ−ｃｆｇ ＃２のＳＦ ＃２に定義されたＤＡＳＩ値に、右側１ ＳＦ−シフトに符合するＳＦオフセット（すなわち、＋１）を加えた値（すなわち、ＤＡＳＩ＋１）を、ＳＦ ＃３に適用することができる。仮に、（ＤＡＳＩ＋ＳＦオフセット）が（１０＋ｄF）以上である場合、（ＤＡＳＩ＋ＳＦオフセット−１０）を適用することができる（例、ｄF＝４）。
【０１５２】
一方、ＳＦ−ｓｈｉｆｅｄ ＤＬ ｓｕｐｅｒｓｅｔ−ｃｆｇに基づいてＴＤＤセルにＡ／Ｎタイミングを適用する場合（例、Ｏｐｔ １又はＯｐｔ ２）、ＴＤＤセルのＤＬ ＳＦ（すなわち、ＳＩＢ−ｃｆｇ内ＤＬ ＳＦ）にのみＳＦ−ｓｈｉｆｅｄ ＤＬ ｓｕｐｅｒｓｅｔ−ｃｆｇのＡ／Ｎタイミングを適用し（及びＤＬデータ検出／受信動作を行い）且つ対応するＡ／Ｎ信号／ビットを構成するように定義／設定することができる。すなわち、ＴＤＤセルのＵＬ ＳＦ（すなわち、ＳＩＢ−ｃｆｇ内ＵＬ ＳＦ）には、ＳＦ−ｓｈｉｆｅｄ ＤＬ ｓｕｐｅｒｓｅｔ−ｃｆｇのＡ／Ｎタイミング（及びＤＬデータ検出／受信動作）及び対応するＡ／Ｎ信号／ビット構成が設定／適用されなくてもよい。例えば、サブフレーム＃ｎ−ｋでＤＬデータが検出された場合、サブフレーム＃ｎでＡ／Ｎを送信することができる（ｋ⊂Ｋｃ）。ここで、Ｋｃは、ｋsp⊂Ｋspの値を含むが、サブフレーム＃ｎ−ｋspが実際にＴＤＤセルにおいてＤＬ ＳＦ又はＳ ＳＦに対応するｋsp値のみを含む。Ｋspは、ＤＬ ｓｕｐｅｒｓｅｔ−ｃｆｇのＤＡＳＩ値を表す（表３参照）。
【０１５３】
一方、ＳＦ−ｓｈｉｆｅｄ ＤＬ ｓｕｐｅｒｓｅｔ−ｃｆｇに定義されたＡ／ＮタイミングとＴＤＤセルのＳＩＢ−ｃｆｇに定義されたＡ／Ｎタイミングとが異なってもよい。このため、ＳＩＢ−ｃｆｇのＡ／Ｎタイミングに基づく暗黙的ＰＦ１リンケージ（すなわち、ＤＬ ＳＦにリンクされた暗黙的ＰＦ１リソースインデックス）をそのまま適用できないことがある。このような問題を解決するために、ＣＨｓｅｌには、ＲＲＣシグナリングで予約された明示的ＰＦ１リソースのみを用いることができる。また、Ａ／Ｎ送信のためにＰＦ３が設定された場合、シングルＡ／Ｎフォールバックに対応するＤＬデータ（すなわち、ＤＡＩ初期値（例、１）を有するＰＤＣＣＨに対応するデータ、又はＤＡＩ初期値（例、１）を有するＳＰＳ解除ＰＤＣＣＨ）のみを受信したとき、Ａ／Ｎ送信のために、ＲＲＣシグナリングで予約された明示的ＰＦ１リソースを用いることができる。また、Ａ／Ｎ送信のためにＣＨｓｅｌが設定された場合、全てのＤＬグラントＰＤＣＣＨを介して、明示的ＰＦ１リソースを指示するＡＲＩをシグナルすることができる。また、Ａ／Ｎ送信のためにＰＦ３が設定された場合、ＤＡＩ初期値（例、１）を有するＤＬグラントＰＤＣＣＨを介して、明示的ＰＦ１リソースを指示するＡＲＩがシグナルされてもよい。
【０１５４】
一方、一つの端末に併合される複数のセルにおいてＵＬ送信に適用されるＴＡ値が、セル間に異なるように設定されてもよい。この場合、セル間のＴＡ差によって、隣接したＵＬ ＳＦに設定された互いに異なるセルのＡ／Ｎ送信信号（例、ＰＵＣＣＨ）が同一時点に衝突することがある。また、ＵＬノン−ＣＡ端末を考慮するとき、セル間ＴＤＭベースのＡ／Ｎ（ＰＵＣＣＨ）送信方法を適用するために、隣接ＵＬ ＳＦ間にＵＬ動作周波数を動的にスイッチングしなければならない場合がある。この場合、ＵＬスイッチング時間によって、隣接ＵＬ ＳＦに設定された互いに異なるセルのＡ／Ｎ送信信号（例、ＰＵＣＣＨ）が同一時点に衝突することがある。
【０１５５】
したがって、ＵＬ信号の単一搬送波特性を維持するために、互いに異なるセルのＡ／Ｎ送信ＳＦタイミングが無線フレームの前半部（例、ＳＦ ＃０〜ＳＦ ＃４）と後半部（例、ＳＦ ＃５〜ＳＦ ＃９）に分離して設定されるようにＤＬ ｓｕｐｅｒｓｅｔ−ｃｆｇ及び／又はＳＦ−ｓｈｉｆｅｄ ＤＬ ｓｕｐｅｒｓｅｔ−ｃｆｇを選択／適用することを提案する。例えば、セル１とセル２のＳＩＢ−ｃｆｇが同一にＵＤ−ｃｆｇ ＃１と与えられた場合を仮定する。この場合、セル１の場合、ＤＬ ｓｕｐｅｒｓｅｔ−ｃｆｇ １＝ＵＤ−ｃｆｇ ＃４と定義されたＡ／Ｎタイミングをそのまま適用してＡ／Ｎフィードバック構成／送信を行うことができる。一方、セル２の場合、ＤＬ ｓｕｐｅｒｓｅｔ−ｃｆｇ ２＝ＵＤ−ｃｆｇ ＃４或いは＃５においてＵＬ ＳＦタイミングが右側に５ ＳＦ−シフトされた形態に基づいてＡ／Ｎタイミング、Ａ／Ｎフィードバック構成／送信を行うことができる。本例によれば、無線フレームの前半部に該当するＳＦ ＃２及びＳＦ ＃３は、セル１のＡ／Ｎ送信ＳＦとして設定され、無線フレームの後半部に該当するＳＦ ＃７及び／又はＳＦ ＃８は、セル２のＡ／Ｎ送信ＳＦとして設定される。
【０１５６】
仮に、併合されるセルがいずれも無線フレームの前半部にのみＵＬ ＳＦと構成されるＳＩＢ−ｃｆｇを有する場合には、互いに異なるセルのＡ／Ｎ送信ＳＦタイミング間にＵＬ ＳＦギャップ（例、Ａ／Ｎフィードバック（及び／又はＵＣＩ／ＰＵＣＣＨ及び／又はＵＬデータ／ＰＵＳＣＨ）送信が実行／定義されないＳＦ）をおくに適したＤＬ ｓｕｐｅｒｓｅｔ−ｃｆｇ及び／又はＳＦ−ｓｈｉｆｅｄ ＤＬ ｓｕｐｅｒｓｅｔ−ｃｆｇを選択／適用することができる。
【０１５７】
一方、互いに異なるＵＤ−ｃｆｇを有するＴＤＤセルが併合された場合にも、上記で提案した方法（例、ＳＦギャップベース方式、無線フレームの前／後半部分離方式）と同一／類似の原理／方法を適用することができる。
【０１５８】
＜Ｄｉｆｆｅｒｅｎｔ  ＴＤＤ  ＵＤ−ｃｆｇ＞
互いに異なるＵＤ−ｃｆｇを有するＴＤＤセルが併合された状況で、セル間ＴＤＭベースＡ／Ｎ送信のために次の２の方式を提案する。
【０１５９】
Ａ．  Ａｌｔ ２−１：ｋｅｅｐｉｎｇ  ｏｒｉｇｉｎａｌ  ｔｉｍｉｎｇ  ｆｏｒ  ｏｎｅ  ｃｅｌｌ
セル１の場合、自身のＳＩＢ−ｃｆｇに定義されたＡ／Ｎタイミングをそのまま適用してＡ／Ｎフィードバック構成／送信を行うことができる。一方、セル２の場合は、自身のＳＩＢ−ｃｆｇに対するＤＬ ｓｕｐｅｒｓｅｔ−ｃｆｇに基づいてＡ／Ｎタイミング適用及びＡ／Ｎフィードバック構成／送信を行うことができる。ＤＬ ｓｕｐｅｒｓｅｔ−ｃｆｇのＵＬ ＳＦタイミングは、セル１とセル２のＡ／Ｎ送信時点が互いに異なるように（サイクリック）ＳＦ−シフトされてもよい。本方式の場合、特定セルの本来Ａ／Ｎタイミングをそのまま維持することによって、特定セルに対するＡ／Ｎフィードバックディレー／サイズの増加を避けることができる。図２４に、本方式によるＡ／Ｎ送信方法を例示する。図２４を参照すると、ＴＤＤセル１にはＳＩＢ−ｃｆｇによるＡ／Ｎタイミングが適用され、ＴＤＤセル２にはＳＦ−ｓｈｉｆｅｄ ＤＬ ｓｕｐｅｒｓｅｔ−ｃｆｇによるＡ／Ｎタイミングが適用される。
【０１６０】
ここで、セル１のＳＩＢ−ｃｆｇとセル２のＤＬ ｓｕｐｅｒｓｅｔ−ｃｆｇは、互いに同一に設定されてもよく、異なるように設定されてもよい。好ましくは、セル１のＳＩＢ−ｃｆｇとセル２のＳＦ−ｓｈｉｆｅｄ ＤＬ ｓｕｐｅｒｓｅｔ−ｃｆｇに基づいて決定されるＵＬ ＳＦタイミング（すなわち、Ａ／Ｎ送信時点）が互いに異なってくるように、セル２のＤＬ ｓｕｐｅｒｓｅｔ−ｃｆｇが制限されてもよい。一例として、セル１とセル２のＳＩＢ−ｃｆｇがそれぞれＵＤ−ｃｆｇ ＃４、＃１である場合、セル２のＤＬ ｓｕｐｅｒｓｅｔ−ｃｆｇをＵＤ−ｃｆｇ ＃４又は＃５に制限することができる。他の例として、セル１とセル２のＳＩＢ−ｃｆｇがそれぞれＵＤ−ｃｆｇ ＃４、＃３である場合、セル２のＤＬ ｓｕｐｅｒｓｅｔ−ｃｆｇをＵＤ−ｃｆｇ ＃５に制限することができる。
【０１６１】
一方、既存ＣＡ状況（例、一つの端末に併合されたセルが同一基地局に属する場合）を考慮すると、セル１、セル２両方ともそれぞれ当該セルのＳＩＢ−ｃｆｇに定義されたＡ／Ｎタイミングを適用した状態で、全てのセル（セル１及び／又はセル２）に対するＡ／Ｎを、特定セル（例、セル１）のＡ／Ｎ送信タイミングと指定されたＳＦでは特定セル（例、セル１）を介して送信し、残りのＳＦ（すなわち、特定セルのＡ／Ｎ送信タイミングでないＳＦ）では他のセル（例、セル２）を介して送信する方式を考慮することができる。特定セルは、例えば、ＰＣｅｌｌ、ＡＣｅｌｌ、或いはＡ／Ｎ送信タイミングと指定されたＳＦがより少ない／多いセルなどとして設定することができる。例えば、セル１とセル２が併合され、セル１が特定セルとして設定された場合、セル１のＡ／Ｎ送信タイミングと指定されたＳＦでは、（ＳＦによって）セル１に対するＡ／Ｎのみ或いはセル１とセル２の両方に対するＡ／Ｎを（セル１を介して）送信することができる。一方、残りのＳＦ（すなわち、セル１のＡ／Ｎ送信タイミングでないＳＦ）では、セル２に対するＡ／Ｎのみを（セル２を介して）送信することができる。
【０１６２】
Ｂ．  Ａｌｔ ２−２：ａｐｐｌｙｉｎｇ  ＤＬ ｓｕｐｅｒｓｅｔ−ｃｆｇ  ｆｏｒ  ｂｏｔｈ  ｃｅｌｌｓ
本方式は、Ａｌｔ ２−１においてセル２にのみ発生するＡ／Ｎフィードバックディレー／サイズ増加を緩和させる方式である。セル１の場合、セル１のＳＩＢ−ｃｆｇに対するＤＬ ｓｕｐｅｒｓｅｔ−ｃｆｇ １に定義されたＡ／Ｎタイミングを適用してＡ／Ｎフィードバック構成／送信を行うことができる。一方、セル２の場合、セル２のＳＩＢ−ｃｆｇに対するＤＬ ｓｕｐｅｒｓｅｔ−ｃｆｇ ２に定義されたＡ／Ｎタイミングに基づいてＡ／Ｎフィードバック構成／送信を行うことができる。ＤＬ ｓｕｐｅｒｓｅｔ−ｃｆｇ ２のＵＬ ＳＦタイミングは、セル１とセル２のＡ／Ｎ送信時点が互いに異なるように（サイクリック）ＳＦ−シフトされてもよい。図２５に、本方式によるＡ／Ｎ送信方法を例示する。図２５を参照すると、ＴＤＤセル１には、ＤＬ ｓｕｐｅｒｓｅｔ−ｃｆｇによるＡ／Ｎタイミングが適用され、ＴＤＤセル２には、ＳＦ−ｓｈｉｆｅｄ ＤＬ ｓｕｐｅｒｓｅｔ−ｃｆｇによるＡ／Ｎタイミングが適用される。
【０１６３】
ＤＬ ｓｕｐｅｒｓｅｔ−ｃｆｇ １とＤＬ ｓｕｐｅｒｓｅｔ−ｃｆｇ ２は、互いに同一に設定されてもよく、異なるように設定されてもよい。好ましくは、ＤＬ ｓｕｐｅｒｓｅｔ−ｃｆｇ １及びＳＦ−ｓｈｉｆｅｄ ＤＬ ｓｕｐｅｒｓｅｔ−ｃｆｇ ２に基づいて決定されるＵＬ ＳＦタイミング（すなわち、Ａ／Ｎ送信時点）が互いに異なるように、セル別ＤＬ ｓｕｐｅｒｓｅｔ−ｃｆｇが制限されてもよい。一例として、セル１とセル２のＳＩＢ−ｃｆｇがそれぞれＵＤ−ｃｆｇ ＃３、＃１と与えられた場合、ＤＬ ｓｕｐｅｒｓｅｔ−ｃｆｇ １は、ＵＤ−ｃｆｇ ＃４、＃５が可能である。この場合、次の組合せが可能である。
【０１６４】
−［ＤＬ ｓｕｐｅｒｓｅｔ−ｃｆｇ １＝ＵＤ−ｃｆｇ ＃４、ＤＬ ｓｕｐｅｒｓｅｔ−ｃｆｇ ２＝＃４又は＃５］、
【０１６５】
−［ＤＬ ｓｕｐｅｒｓｅｔ−ｃｆｇ １＝ＵＤ−ｃｆｇ ＃５、ＤＬ ｓｕｐｅｒｓｅｔ−ｃｆｇ ２＝＃２、＃４又は＃５］。
【０１６６】
一方、前述したＤＬ ｓｕｐｅｒｓｅｔ−ｃｆｇ及びＳＦ−ｓｈｉｆｅｄ ＤＬ ｓｕｐｅｒｓｅｔ−ｃｆｇの適用のためのＡ／Ｎタイミング設定方法、ＰＵＣＣＨリソース割り当て方法、及びＤＡＳＩ決定方法（Ｏｐｔ １又はＯｐｔ ２）などは、本例にも同一／類似の原理に基づいて適用することができる。
【０１６７】
以上、ＳＦ（グループ）単位のセル間ＴＤＭベースＡ／Ｎ送信方式（ＳＦ（グループ）ベース方法）について説明した。一方、他の方案として、セル別に定義された本来のＡ／Ｎタイミングをできるだけそのまま適用させるために、セル別Ａ／Ｎ送信ＳＦ区間を、無線フレーム或いは無線フレームの倍数単位に設定することができる。ここで、セル別Ａ／Ｎ送信ＳＦ区間単位となる一つ或いは一つ以上の無線フレームを、無線フレームグループ（Ｒａｄｉｏ  Ｆｒａｍｅ  Ｇｒｏｕｐ、ＲＦＧ）と定義する。また、（ＵＬノン−ＣＡ端末の場合）ＰＵＳＣＨ送信のためのＵＬ ＨＡＲＱプロセス／タイムライン（例、ＵＬ ｇｒａｎｔ−ｔｏ−ＰＵＳＣＨ、ＰＵＳＣＨ−ｔｏ−ＰＨＩＣＨ）を考慮して、セル別Ａ／Ｎ送信ＳＦ区間（或いは、ＵＣＩ／ＰＵＣＣＨ及び／又はＵＬデータ／ＰＵＳＣＨ送信／スケジューリングが実行／定義されるＳＦ区間）をＲＦＧ単位に設定することができる。ここで、ＲＦＧを構成する無線フレーム数は、ＦＤＤの場合は４個と、ＴＤＤの場合、ＵＤ−ｃｆｇ ＃１〜＃５までは５個、ＵＤ−ｃｆｇ ＃６は６個、ＵＤ−ｃｆｇ ＃０は７個とそれぞれ指定／設定することができる。この場合、最小４回までのＰＵＳＣＨ再送信を支援／許容しながら、一つのＵＬ ＨＡＲＱプロセスを構成する最初のＵＬ ＳＦの番号／インデックスと最後のＵＬ ＳＦの番号／インデックスとを一致させることができる。
【０１６８】
具体的に、Ｎ個のＲＦＧはセル１、その次のＭ個のＲＦＧはセル２、その次のＬ個のＲＦＧは再びセル１に対応するＡ／Ｎ送信ＳＦ区間となるように、ＲＦＧベースのＡ／Ｎ送信ＳＦ区間をセル間に交互に設定することができる（Ｎ≧１、Ｍ≧１、Ｌ≧１）。この場合、各セルに対応するＡ／Ｎ送信ＳＦ（ＲＦＧ）区間では、各セルに定義された本来のＡ／Ｎタイミングを適用することができる。
【０１６９】
又は、Ｎ個のＲＦＧは、セル１に対応するＡ／Ｎ送信ＳＦ区間と設定し、その次のＭ個ＲＦＧは、上記で提案したＳＦ（グループ）単位のセル別Ａ／Ｎ送信ＳＦ区間と設定し、その次のＬ個のＲＦＧは再びセル１（或いは、セル２）に対応するＡ／Ｎ送信ＳＦ区間と設定する方式によってＲＦＧベース方法とＳＦ（グループ）ベース方法を交互に適用することができる。この場合、ＳＦ（グループ）ベース方法が適用されるＳＦ（ＲＦＧ）区間を除く残りのＲＦＧ区間では、当該ＲＦＧにＡ／Ｎ送信が設定されたセルの本来のＡ／Ｎタイミングを適用することができる。
【０１７０】
又は、Ｎ個のＲＦＧは、セル１に対応するＡ／Ｎ送信ＳＦ区間と設定し、その次のＭ個のＲＦＧは、セル１及びセル２の両方に対応するＡ／Ｎ送信ＳＦ区間と設定し、その次のＬ個のＲＦＧは再びセル１（或いは、セル２）に対応するＡ／Ｎ送信ＳＦ区間と設定する方式によって、セル−専用Ａ／Ｎ送信ＲＦＧ区間とセル−共通Ａ／Ｎ送信ＲＦＧ区間を交互に運営することができる。この場合、全てのセルに共通に対応するＡ／Ｎ送信ＲＦＧ区間では、各セルに定義された本来のＡ／Ｎタイミングをそのまま適用することができ、これによって発生しうるセル別Ａ／Ｎ ＰＵＣＣＨ間衝突は、基地局における適宜のスケジューリングによって防止／緩和することが好ましい。又は、端末は、セル−共通Ａ／Ｎ送信ＲＦＧ区間における一つのＳＦでは同時に（複数セルに対応する及び／又は複数セル上で）複数Ａ／Ｎ ＰＵＣＣＨ送信が要求されないと仮定した／見なした状態で動作することができる。例えば、セル−共通Ａ／Ｎ送信ＲＦＧ区間において一つのＳＦで複数のＰＵＣＣＨ送信が要求される場合、端末は、特定規則（例、ＵＣＩ優先順位）に基づいて一つのＰＵＣＣＨのみを送信し、残りのＰＵＣＣＨの送信をドロップしたり、又は複数のＰＵＣＣＨ送信を全てドロップすることができる。
【０１７１】
一方、上記の方式（或いは、その他の方式など）を適用する場合、セル別Ａ／Ｎタイミングが本来のタイミング（ＦＤＤの場合、ｄF，ＴＤＤの場合、ＳＩＢ−ｃｆｇによるＤＡＳＩ）と異なるように設定されてもよい。この場合、ＲＲＣシグナリングなどを伴う各種再設定区間においてＡ／Ｎタイミングに対する基地局と端末間の不一致が発生しうる。そこで、任意のセルで特定ＳＦ、特定サーチスペース（当該領域が占有するＣＣＥリソース）、特定ＰＤＣＣＨ候補及び／又は特定ＤＣＩフォーマットを用いてスケジュールされるＤＬデータに対応するＡ／Ｎフィードバックの場合にのみ（例外として）、当該セルの本来のＡ／Ｎタイミングを適用することを提案する。特定サーチスペースは共通サーチスペースであり、特定ＤＣＩフォーマットはＤＣＩフォーマット１Ａであってもよい。
【０１７２】
また、複数ＰＵＣＣＨの同時送信或いは複数セルにおけるＰＵＣＣＨ同時送信を避けるために、セル−別ＰＵＣＣＨ送信タイミングを、上記の方式に基づいて決定されるセル−別Ａ／Ｎ送信時点内でのみ設定することができる。言い換えると、ｐ−ＣＳＩ、ＳＲなどのセル別ＵＣＩ送信タイミングを、上記の方式に基づいて決定されるセル別Ａ／Ｎ送信ＳＦ（或いは、そのサブセット）と同一に設定することができる。この場合、周期的ＵＣＩ（例、ｐ−ＣＳＩ、ＳＲ）の送信時点がセル−別Ａ／Ｎ送信時点に該当しない場合、周期的ＵＣＩの送信はドロップされてもよい。また、セル（グループ）別、ＳＦ（グループ）別、セル（グループ）／ＳＦ（グループ）の組合せ別、及び／又はフレーム構造タイプ（例、ＦＤＤ又はＴＤＤ）別にＡ／Ｎフィードバック送信方式（例、ＰＦ３又はＣＨｓｅｌ）を独立して設定することができる。
【０１７３】
他の方案として、本発明における提案方法（或いは、その他の方法）を適用して各セルに対応する（Ａ／Ｎなどの）ＵＣＩを含むＰＵＣＣＨをＴＤＭ方式で送信する場合、特定セルに対応するＵＣＩ ＰＵＣＣＨを当該セルのＵＬを通してそれぞれ送信する上記の提案方式とは違い、各セルに対応するＵＣＩ ＰＵＣＣＨを、既存と同様、いずれもＰＣｅｌｌのＵＬのみを通して送信する方法も考慮することができる。例えば、ＳＦ ＃ＮをＰＣｅｌｌに対応するＵＣＩ ＰＵＣＣＨ送信時点として設定し、ＳＦ ＃（Ｎ＋ｋ）をＳＣｅｌｌに対応するＵＣＩ ＰＵＣＣＨ送信時点としてそれぞれ設定することができる。この場合、ＳＦ ＃ＮではＰＣｅｌｌのＵＬを通してＰＣｅｌｌに対応するＵＣＩ ＰＵＣＣＨを送信し（このＳＦを「ＰＣｅｌｌ ＵＣＩ−ＰＵＣＣＨ ＳＦ」と定義する）、ＳＦ ＃（Ｎ＋ｋ）では、ＰＣｅｌｌのＵＬを通してＳＣｅｌｌに対応するＵＣＩ ＰＵＣＣＨを送信することができる（このＳＦを「ＳＣｅｌｌ ＵＣＩ−ＰＵＣＣＨ ＳＦ」と定義する）。これは、端末観点でのＳＣｅｌｌを管理／制御する基地局が、当該端末のＰＣｅｌｌに対応するキャリア、すなわち、周波数帯域を通して自身、すなわち、当該ＳＣｅｌｌに対応するＵＣＩ ＰＵＣＣＨをオーバーヒア（ｏｖｅｒｈｅａｒ）、すなわち、検出／受信する能力を備えている可能性があるためである。一方、このために、（ＰＣｅｌｌに対応するＡ／Ｎ送信ＰＵＣＣＨリソースは、当該ＰＣｅｌｌをスケジュールするＤＬグラントにリンクされた暗黙的ＰＵＣＣＨに割り当てられうる反面）ＳＣｅｌｌに対応するＡ／Ｎ送信ＰＵＣＣＨリソースの場合は、（ＲＲＣシグナリングなどを用いて）あらかじめ指定された明示的ＰＵＣＣＨを用いることができる。
【０１７４】
このような動作を勘案すると、ＳＣｅｌｌ ＵＣＩ−ＰＵＣＣＨ ＳＦにおいてＰＣｅｌｌのＵＬを通してＳＣｅｌｌに対応するＵＣＩ ＰＵＣＣＨを送信する場合には、当該ＳＣｅｌｌに設定されたＴＡ値を適用したり、（端末観点で当該ＳＣｅｌｌに対応するＵＬが存在しない場合）ＳＣｅｌｌに対応するＵＣＩ ＰＵＣＣＨ送信にのみ適用される別途のＴＡ値を設定することができる。また、ＰＣｅｌｌをスケジュールするＤＬグラントによってシグナルされるＴＰＣはＰＣｅｌｌ ＵＣＩ−ＰＵＣＣＨ ＳＦにのみ適用され、ＳＣｅｌｌをスケジュールするＤＬグラントによってシグナルされるＴＰＣはＳＣｅｌｌ ＵＣＩ−ＰＵＣＣＨ ＳＦにのみ適用されてもよい。
【０１７５】
一方、インター−サイトＣＡ状況でＵＣＩがＰＵＳＣＨにピギーバックされる場合、特定セル（グループ）に対応するＵＣＩは、当該セル（グループ）を通して送信されるＰＵＳＣＨにのみピギーバックされることが好ましい。したがって、ＳＣｅｌｌ ＵＣＩ−ＰＵＣＣＨ ＳＦ（一般化して、ＳＣｅｌｌに対応するＵＣＩ ＰＵＣＣＨが送信される時点として設定されたＳＦ）でＰＣｅｌｌを介して送信されるＰＵＳＣＨのみ／ＰＵＳＣＨがスケジュールされた場合には、次の方法を考慮することができる。
【０１７６】
方式１）ＰＵＳＣＨへのＵＣＩピギーバック無しでＳＣｅｌｌに対応するＵＣＩ ＰＵＣＣＨとＰＣｅｌｌにスケジュールされた当該ＰＵＳＣＨの同時送信を許容する、
【０１７７】
方式２）ＰＣｅｌｌにスケジュールされたＰＵＳＣＨの送信を放棄／省略して、Ｃｅｌｌに対応するＵＣＩ ＰＵＣＣＨのみを送信する、
【０１７８】
方式３）ＳＣｅｌｌに対応するＵＣＩ ＰＵＣＣＨの送信を放棄／省略し、ＰＣｅｌｌにスケジュールされたＰＵＳＣＨのみを送信する、
【０１７９】
方式４）ＳＣｅｌｌ ＵＣＩ−ＰＵＣＣＨ ＳＦでは、ＰＣｅｌｌを介して送信されるＰＵＳＣＨのスケジューリングが支援／許容されない（すなわち、端末は、ＳＣｅｌｌ ＵＣＩ−ＰＵＣＣＨ ＳＦではＰＣｅｌｌを介して送信されるＰＵＳＣＨがスケジュールされないと仮定した／見なした状態で動作することができる）、又は、
【０１８０】
方式５）端末は、ＳＣｅｌｌに対応するＵＣＩ−ＰＵＣＣＨ送信とＰＣｅｌｌを介したＰＵＳＣＨ送信とが同時に一つのＵＬ ＳＦ（例、ＳＣｅｌｌ ＵＣＩ−ＰＵＣＣＨ ＳＦ）で行われるようにスケジューリング／設定されないと仮定した／見なした状態で動作することができる。
【０１８１】
ここで、ＳＣｅｌｌに対応するＵＣＩがＡ／Ｎ或いはＳＲである場合には方式２）を適用し、当該ＵＣＩがＣＳＩである場合には方式３）を適用することができる。また、ＳＣｅｌｌに対応するＡ／ＮがいずれもＮＡＣＫ或いはＤＴＸでのみ構成されたり、ＳＲがネガティブ（ｎｅｇａｔｉｖｅ）である場合には方式３）を、ＳＣｅｌｌに対応するＣＳＩがＲＩ情報を含む場合には方式２）を例外として適用することができる。一方、ＳＣｅｌｌ ＵＣＩ−ＰＵＣＣＨ ＳＦでＳＣｅｌｌを介して送信されるＰＵＳＣＨがスケジュールされた場合、当該ＵＣＩはＳＣｅｌｌにスケジュールされたＰＵＳＣＨにピギーバックされてもよい。一方、ＰＣｅｌｌとＳＣｅｌｌがそれぞれ異なった任意のセル（グループ）１とセル（グループ）２に取り替えられた状態でも上記と同一の動作／方法を適用することができ、方式１）〜５）の場合、複数ＵＬチャネル（例、ＰＵＣＣＨ及びＰＵＳＣＨ）の同時送信が許容されるか否かによって互いに異なる方式を適用することができる。
【０１８２】
他の方法として、既存ＰＵＣＣＨ（すなわち、レガシーＰＵＣＣＨ）リソースを構成する各ＳＣ−ＦＤＭＡシンボル内副搬送波（すなわち、ＲＥに対応）を、偶数インデックス（すなわち、偶数−コム（ｅｖｅｎ−ｃｏｍｂ））と奇数インデックス（すなわち、奇数−コム（ｏｄｄ−ｃｏｍｂ））とに分け、各セル（当該セルのＵＣＩ）に対応するＰＵＣＣＨを、互いに異なるコムを用いて送信することもできる。一例として、レガシーＰＵＣＣＨリソース領域で、セル１（当該セルのＵＣＩ）に対応するＰＵＣＣＨは偶数−コムを用い、セル２（当該セルのＵＣＩ）に対応するＰＵＣＣＨは奇数−コムを用いることができる。他の方法として、レガシーＰＵＣＣＨリソースを構成するＳＣ−ＦＤＭＡシンボルを偶数インデックス（すなわち、偶数−シンボル（ｅｖｅｎ−ｓｙｍ））と奇数インデックス（すなわち、奇数−シンボル（ｏｄｄ−ｓｙｍ））とに分け、各セル（当該セルのＵＣＩ）に対応するＰＵＣＣＨを、互いに異なるシンボルを用いて送信することもできる。一例として、レガシーＰＵＣＣＨリソース領域で、セル１（当該セルのＵＣＩ）に対応するＰＵＣＣＨは偶数−シンボルを用い、セル２（当該セルのＵＣＩ）に対応するＰＵＣＣＨは奇数−シンボルを用いることができる。上記の方法は、ＤＭＲＳが送信されるＳＣ−ＦＤＭＡシンボルにのみ適用したり（すなわち、残りのＳＣ−ＦＤＡＭシンボルはレガシーＰＵＣＣＨにおけると同一に構成）、ＤＭＲＳが送信されるか否かにかかわらず、全てのＳＣ−ＦＤＭＡシンボルに適用することができる。上記の方法を用いて、セル間ＴＤＭ無しで、各セル別に定義された本来のＡ／Ｎタイミングをそのまま適用しながら、オーバーヒア（ｏｖｅｒｈｅａｒ）場合のように一つのセルを通して複数ＰＵＣＣＨ同時送信を行ったり、複数のセルを通して複数ＰＵＣＣＨ同時送信を行うことができる。
【０１８３】
図２６に、本発明の実施例に適用することができる基地局及び端末を例示する。リレーを含むシステムの場合、基地局又は端末をリレーに代替してもよい。
【０１８４】
図２６を参照すると、無線通信システムは、基地局（ＢＳ）１１０及び端末（ＵＥ）１２０を含む。基地局１１０は、プロセッサ１１２、メモリ１１４及び無線周波数（ＲＦ）ユニット１１６を備える。プロセッサ１１２は、本発明で提案した手順及び／又は方法を具現するように構成することができる。メモリ１１４は、プロセッサ１１２に接続し、プロセッサ１１２の動作に関する様々な情報を記憶する。ＲＦユニット１１６は、プロセッサ１１２に接続し、て無線信号を送信及び／又は受信する。端末１２０は、プロセッサ１２２、メモリ１２４及びＲＦユニット１２６を備える。プロセッサ１２２は、本発明で提案した手順及び／又は方法を具現するように構成することができる。メモリ１２４は、プロセッサ１２２に接続し、プロセッサ１２２の動作に関する様々な情報を記憶する。ＲＦユニット１２６は、プロセッサ１２２に接続し、無線信号を送信及び／又は受信する。基地局１１０及び／又は端末１２０は、単一アンテナ又は多重アンテナを有することができる。
【０１８５】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含めることもでき、別の実施例の対応する構成又は特徴に置き換えることもできる。特許請求の範囲において明示的な引用関係にない請求項を結合して実施例を構成したり、出願後の補正によって新しい請求項として含めたりできることは明らかである。
【０１８６】
本文書において、本発明の実施例は主として端末と基地局との間のデータ送受信関係を中心に説明されている。本文書において基地局によって行われるとした特定動作は、場合によっては、その上位ノード（ｕｐｐｅｒ  ｎｏｄｅ）によって行われてもよい。すなわち、基地局を含む複数のネットワークノードからなるネットワークにおいて端末との通信のために行われる様々な動作は、基地局又は基地局以外の別のネットワークノードによって実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替してもよい。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替してもよい。
【０１８７】
本発明に係る実施例は、様々な手段、例えば、ハードウェア、ファームウェア（ｆｉｒｍ  ｗａｒｅ）、ソフトウェア、又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１８８】
ファームウェアやソフトウェアによる具現の場合、本発明の一実施例は、以上で説明された機能又は動作を実行するモジュール、手順、関数などの形態で具現することができる。ソフトウェアコードは、メモリユニットに保存され、プロセッサによって駆動することができる。メモリユニットはプロセッサの内部又は外部に設けられ、既に公知の様々な手段によってプロセッサとデータを交換することができる。
【０１８９】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１９０】
本発明は、端末、リレー、基地局などのような無線通信装置に用いることができる。
【図１Ａ】
0006027270.tif 000014
【図１Ｂ】
0006027270.tif 000015
【図２】
0006027270.tif 000016
【図３】
0006027270.tif 000017
【図４】
0006027270.tif 000018
【図５】
0006027270.tif 000019
【図６】
0006027270.tif 000020
【図７】
0006027270.tif 000021
【図８】
0006027270.tif 000022
【図９】
0006027270.tif 000023
【図１０】
0006027270.tif 000024
【図１１】
0006027270.tif 000025
【図１２】
0006027270.tif 000026
【図１３】
0006027270.tif 000027
【図１４】
0006027270.tif 000028
【図１５】
0006027270.tif 000029
【図１６】
0006027270.tif 000030
【図１７】
0006027270.tif 000031
【図１８】
0006027270.tif 000032
【図１９】
0006027270.tif 000033
【図２０】
0006027270.tif 000034
【図２１】
0006027270.tif 000035
【図２２】
0006027270.tif 000036
【図２３】
0006027270.tif 000037
【図２４】
0006027270.tif 000038
【図２５】
0006027270.tif 000039
【図２６】
0006027270.tif 000040